(57)【要約】【課題】単純な構成で映像表示装置に識別番号を設定する。【解決手段】伝達順序が１番目であるマスター装置の算出部２１は、配置情報ＫＪと当該伝達順序とに基づいて、マルチ画面１０Ａにおける、複数の映像表示装置１００の座標Ｐを算出する。また、算出部２１は、識別番号ｉを、識別用設定規則Ｂに基づいて算出する。設定部２２は、座標Ｐが算出された各映像表示装置１００の識別番号ｉを当該映像表示装置１００に設定するための処理を行う。【選択図】図４
2016045452.tif 000002
【特許請求の範囲】
【請求項１】
通信ケーブルによりデイジーチェーン接続された複数の映像表示装置の画面により矩形のマルチ画面が構成されるように、当該複数の映像表示装置が行列状に配置されて構成されるマルチ画面表示装置であって、
前記複数の映像表示装置には、前記デイジーチェーン接続により、当該複数の映像表示装置において情報が伝達される順序である伝達順序が規定されており、
前記複数の映像表示装置のうち、前記伝達順序が１番目である基準映像表示装置は、
前記複数の映像表示装置の配置構成を特定するための配置情報と前記伝達順序とに基づいて、前記マルチ画面における、当該複数の映像表示装置の座標を算出する算出部を備え、
前記算出部は、さらに、前記各映像表示装置を識別するための識別番号を、当該各映像表示装置に対し当該識別番号を設定するための予め定められた規則に基づいて算出し、
前記基準映像表示装置は、さらに、
前記座標が算出された前記各映像表示装置の前記識別番号を当該映像表示装置に設定するための処理を行う設定部を備える
マルチ画面表示装置。
【請求項２】
前記配置情報は、前記行列状に配置された前記複数の映像表示装置に対応する行列の行数および列数である
請求項１に記載のマルチ画面表示装置。
【請求項３】
前記設定部は、さらに、前記座標が算出された前記各映像表示装置の当該座標を当該映像表示装置に設定するための処理を行う
請求項１または２に記載のマルチ画面表示装置。
【請求項４】
前記基準映像表示装置は、前記マルチ画面の４つの角部のいずれかに配置され、
前記算出部は、前記基準映像表示装置が配置される位置に基づいて、前記座標を算出する
請求項１から３のいずれか１項に記載のマルチ画面表示装置。
【請求項５】
前記規則は、（ａ）前記マルチ画面における前記基準映像表示装置の位置である基準位置を起点として当該マルチ画面に対し水平方向に沿って、スキャンする順序を変化させるラスタースキャンに従った順序、または、（ｂ）当該基準位置を起点として当該マルチ画面に対し垂直方向に沿って、スキャンする順序を変化させるラスタースキャンに従った順序に基づいて定められている
請求項１から４のいずれか１項に記載のマルチ画面表示装置。
【発明の詳細な説明】
【技術分野】
【０００１】
本発明は、複数の画面から構成されるマルチ画面に映像を表示するマルチ画面表示装置に関する。
【背景技術】
【０００２】
大画面に映像を表示する装置として、複数の画面から構成されるマルチ画面に映像を表示するマルチ画面表示装置が存在する。マルチ画面表示装置では、複数の映像表示装置が連動して動作する。すなわち、マルチ画面表示装置は、複数の映像表示装置により、１つの装置として動作する。マルチ画面表示装置は、複数の映像表示装置が、行列状に並べて構成される。当該行列は、例えば、３行３列の行列である。この構成により、１つの大画面が構成される。
【０００３】
このような複数の映像表示装置から構成されるマルチ画面表示装置では、マルチ画面を構成する各画面の映像が、同一の輝度および画質を有する必要がある。そのためには、各映像表示装置の画面に表示される映像の輝度および画質を、各映像表示装置毎に調整する必要がある。当該調整を行うには、各映像表示装置を識別するための識別番号を設定する必要がある。
【０００４】
特許文献１では、リモートコントローラを使用して、ディスプレイ装置ごとにＩＤ番号（識別番号）を設定する技術（以下、「関連技術Ａ」ともいう）が開示されている。
【０００５】
また、マルチ画面全体に１つの映像を表示する場合、当該マルチ画面を構成する各画面には、当該１つの映像の一部が拡大して表示される。この場合、各映像表示装置の画面が、マルチ画面のどの位置に配置されているか認識する必要がある。
【０００６】
特許文献２では、専用のシリアルケーブル等によりデイジーチェーン接続された複数の表示装置において、表示装置の位置を検出するための技術（以下、「関連技術Ｂ」ともいう）が開示されている。具体的には、関連技術Ｂでは、各表示装置が表示する画像を撮像装置が撮像する。そして、撮像された画像に基づいて、表示装置の位置を検出する。
【先行技術文献】
【特許文献】
【０００７】
【特許文献１】特開２００６−２５４２７５号公報（段落００２０〜００２６、図４）
【特許文献２】特許第５１９３５６３号公報（段落００６９〜００７４、図７）
【発明の概要】
【発明が解決しようとする課題】
【０００８】
しかしながら、関連技術Ａ，Ｂでは以下の問題点がある。具体的には、関連技術Ａでは、マルチディスプレイを構成する各ディスプレイ装置（映像表示装置）に、識別情報としての識別番号（ＩＤ番号）を設定する場合、リモコンなどを用いて、１台のディスプレイ装置である映像表示装置ごとに識別番号を設定する必要がある。そのため、識別番号の設定に非常に時間がかかるという問題点がある。
【０００９】
そこで、関連技術Ｂを用いて、検出された各表示装置（映像表示装置）の位置を利用すれば、識別番号の設定を迅速に行うことができ、関連技術Ａの問題点を解決することができる。
【００１０】
なお、関連技術Ｂでは、各表示装置（映像表示装置）の位置を検出するために、別途、撮像装置が必要である。そのため、関連技術Ｂを利用した構成では、構成が複雑なため、コストが高いという問題がある。
【００１１】
本発明は、このような問題を解決するためになされたものであり、単純な構成で映像表示装置に識別番号を設定することが可能なマルチ画面表示装置を提供することを目的とする。
【課題を解決するための手段】
【００１２】
上記目的を達成するために、本発明の一態様に係るマルチ画面表示装置は、通信ケーブルによりデイジーチェーン接続された複数の映像表示装置の画面により矩形のマルチ画面が構成されるように、当該複数の映像表示装置が行列状に配置されて構成される。前記複数の映像表示装置には、前記デイジーチェーン接続により、当該複数の映像表示装置において情報が伝達される順序である伝達順序が規定されており、前記複数の映像表示装置のうち、前記伝達順序が１番目である基準映像表示装置は、前記複数の映像表示装置の配置構成を特定するための配置情報と前記伝達順序とに基づいて、前記マルチ画面における、当該複数の映像表示装置の座標を算出する算出部を備え、前記算出部は、さらに、前記各映像表示装置を識別するための識別番号を、当該各映像表示装置に対し当該識別番号を設定するための予め定められた規則に基づいて算出し、前記基準映像表示装置は、さらに、前記座標が算出された前記各映像表示装置の前記識別番号を当該映像表示装置に設定するための処理を行う設定部を備える。
【発明の効果】
【００１３】
本発明によれば、伝達順序が１番目である基準映像表示装置の算出部は、配置情報と当該伝達順序とに基づいて、マルチ画面における、当該複数の映像表示装置の座標を算出する。また、前記算出部は、識別番号を、当該各映像表示装置に対し当該識別番号を設定するための規則に基づいて算出する。設定部は、前記座標が算出された前記各映像表示装置の前記識別番号を当該映像表示装置に設定するための処理を行う。
【００１４】
これにより、例えば、映像表示装置の座標を算出するために、従来のような撮像装置等を別途設ける必要はない。そのため、単純な構成で映像表示装置の座標を算出することができる。また、前述のように、設定部は、前記座標が算出された前記各映像表示装置の前記識別番号を当該映像表示装置に設定するための処理を行う。これにより、単純な構成で映像表示装置に識別番号を設定することができる。
【図面の簡単な説明】
【００１５】
【図１】本発明の実施の形態１に係るマルチ画面表示装置の構成を示す図である。
【図２】本発明の実施の形態１に係るマルチ画面表示装置の正面図である。
【図３】本発明の実施の形態１に係るマルチ画面の構成の一例を示す図である。
【図４】本発明の実施の形態１に係る映像表示装置の構成を示すブロック図である。
【図５】マルチ画面に映像を表示するための構成を説明するための図である。
【図６】識別情報設定対応処理ＢＸのフローチャートである。
【図７】マスター装置が配置される位置を説明するための図である。
【図８】マスター装置の位置に応じたケーブル接続構成を説明するための図である。
【図９】マルチ画面表示装置を構成する各映像表示装置の接続構成の他の例を示す図である。
【図１０】識別番号ｉを設定するための識別用設定規則を説明するための図である。
【図１１】識別情報設定対応処理ＢＭのフローチャートである。
【図１２】座標算出処理のフローチャートである。
【図１３】マスター装置の位置に応じた、方向の定義を説明するための図である。
【図１４】識別情報算出処理ＢＭのフローチャートである。
【図１５】識別情報設定対応処理ＢＳのフローチャートである。
【図１６】各映像表示装置に設定された識別番号ｉおよび座標Ｐの一例を示す図である。
【発明を実施するための形態】
【００１６】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１７】
＜実施の形態１＞
図１は、本発明の実施の形態１に係るマルチ画面表示装置１０００の構成を示す図である。図１において、Ｘ，Ｙ方向の各々は、互いに直交する。以下の図に示されるＸ，Ｙ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｘ軸方向およびＹ軸方向を含む平面を、「ＸＹ面」ともいう。
【００１８】
なお、図１には、マルチ画面表示装置１０００に含まれない外部制御装置５も示される。外部制御装置５は、例えば、ＰＣ（Personal Computer）である。外部制御装置５は、作業者により操作されるインタフェース（以下、「操作インタフェース」ともいう）を有する。操作インタフェースは、例えば、キーボードである。なお、外部制御装置５は、ＰＣに限定されず、リモートコントローラであってもよい。
【００１９】
図２は、本発明の実施の形態１に係るマルチ画面表示装置１０００の正面図である。図１および図２に示すように、マルチ画面表示装置１０００は、映像表示装置１００−１，１００−２，１００−３，１００−４，１００−５，１００−６，１００−７，１００−８，１００−９，１００−１０，１００−１１，１００−１２を含む。
【００２０】
映像表示装置１００−１，１００−２，１００−３，１００−４，１００−５，１００−６，１００−７，１００−８，１００−９，１００−１０，１００−１１，１００−１２の各々は、詳細は後述するが、同一の構成を有する。以下においては、映像表示装置１００−１，１００−２，１００−３，１００−４，１００−５，１００−６，１００−７，１００−８，１００−９，１００−１０，１００−１１，１００−１２の各々を、単に、「映像表示装置１００」とも表記する。
【００２１】
マルチ画面表示装置１０００は、１２台の映像表示装置１００から構成される。なお、マルチ画面表示装置１０００を構成する映像表示装置１００の数は、１２に限定されず、２〜１１または１３以上であってもよい。
【００２２】
マルチ画面表示装置１０００では、複数の映像表示装置１００が連動して動作する。これにより、１または複数のディスプレイとして機能する。マルチ画面表示装置１０００は、１２台の映像表示装置１００が、一例として、図２のように、３行４列の行列状に配置されることにより構成される。マルチ画面表示装置１０００を構成する複数の映像表示装置１００は、通信ケーブル７１によりデイジーチェーン接続されている。
【００２３】
以下においては、デイジーチェーン接続された複数の映像表示装置１００において情報（データ）が伝達される順序を、「伝達順序」ともいう。すなわち、マルチ画面表示装置１０００を構成する複数の映像表示装置１００には、デイジーチェーン接続により、当該複数の映像表示装置１００において情報（データ）が伝達される順序（伝達順序）が規定されている。
【００２４】
また、以下においては、前述の伝達順序に従った通信を、「デイジーチェーン通信」ともいう。デイジーチェーン通信では、デイジーチェーン接続された複数の映像表示装置１００において、伝達順序に従って情報（データ）が伝達される。例えば、デイジーチェーン通信では、映像表示装置１００−１，１００−２，１００−３，１００−４，１００−５，１００−６，１００−７，１００−８，１００−９，１００−１０，１００−１１，１００−１２の順で、情報（データ）が伝達される。通信ケーブル７１は、デイジーチェーン通信を行うために利用される専用のケーブルである。
【００２５】
また、以下においては、通信ケーブル７１により、複数の映像表示装置１００がデイジーチェーン接続されることにより形成される通信経路を、「通信経路ＳＫ」ともいう。通信経路ＳＫは、デイジーチェーン接続に従った通信経路である。以下においては、通信経路ＳＫを利用した通信を、「通信ＳＫ」ともいう。
【００２６】
通信ＳＫは、上流方向通信とデイジーチェーン通信とを含む。上流方向通信とは、前述の伝達順序と逆の順序に従った通信である。上流方向通信は、各映像表示装置１００が、情報（データ）を外部制御装置５へ送信する通信である。上流方向通信は、例えば、映像表示装置１００−３が、後述の制御ケーブル７０および通信経路ＳＫの両方または一方を介して、情報（データ）を外部制御装置５へ送信する通信である。
【００２７】
具体的には、映像表示装置１００−１，１００−２，１００−３，１００−４，１００−５，１００−６，１００−７，１００−８，１００−９，１００−１０，１００−１１，１００−１２の順で、情報（データ）が伝達されるように、１２台の映像表示装置１００は、デイジーチェーン接続される。すなわち、デイジーチェーン通信では、マルチ画面表示装置１０００を構成する複数の映像表示装置１００において、情報（データ）は、伝達順序に従って伝達される。
【００２８】
以下においては、伝達順序を示す番号を、「順序番号ｎ（ｎは自然数）」または「順序番号」ともいう。順序番号ｎは、マルチ画面表示装置１０００を構成する複数の映像表示装置１００において、データが伝達される順番である。映像表示装置１００−１，１００−２，１００−３，１００−４，１００−５，１００−６，１００−７，１００−８，１００−９，１００−１０，１００−１１，１００−１２の順序番号ｎは、それぞれ、１，２，３，４，５，６，７，８，９，１０，１１，１２である。
【００２９】
また、以下においては、ある映像表示装置１００の順序番号より１だけ大きい順序番号が設定された映像表示装置１００を、「後隣接の映像表示装置１００」ともいう。また、以下においては、ある映像表示装置１００の順序番号より１だけ小さい順序番号が設定された映像表示装置１００を、「前隣接の映像表示装置１００」ともいう。
【００３０】
以下においては、マルチ画面表示装置１０００を構成する複数の映像表示装置１００のうち、順序番号の値が最も大きい映像表示装置１００を、「終端映像表示装置」ともいう。終端映像表示装置は、例えば、映像表示装置１００−１２である。また、以下においては、マルチ画面表示装置１０００を構成する複数の映像表示装置１００のうち、終端映像表示装置以外の映像表示装置１００を、「非終端映像表示装置」ともいう。
【００３１】
映像表示装置１００は、液晶ディスプレイ（ＬＣＤ（Liquid Crystal Display））である。なお、映像表示装置１００は、ＬＣＤに限定されず、リアプロジェクション方式の表示装置であってもよい。リアプロジェクション方式の表示装置は、画面の背面から当該画面に映像を投射する表示である。マルチ画面表示装置１０００を構成する各映像表示装置１００は、外部から入力される映像信号に基づいた映像を表示する。
【００３２】
各映像表示装置１００の形状は、直方体である。各映像表示装置１００は、図２のように、ＸＹ面において行列状に配置される。なお、各映像表示装置１００の形状は、当該各映像表示装置１００を行列状に配置可能な形状であれば、直方体以外の形状であってもよい。
【００３３】
映像表示装置１００−１，１００−２，１００−３，１００−４，１００−５，１００−６，１００−７，１００−８，１００−９，１００−１０，１００−１１，１００−１２は、それぞれ、図３おける画面１０−１，１０−２，１０−３，１０−４，１０−５，１０−６，１０−７，１０−８，１０−９，１０−１０，１０−１１，１０−１２を有する。
【００３４】
マルチ画面表示装置１０００は、図３のマルチ画面１０Ａを含む。マルチ画面１０Ａは、ＸＹ面と平行である。図３に示すように、マルチ画面１０Ａは、画面１０−１，１０−２，１０−３，１０−４，１０−５，１０−６，１０−７，１０−８，１０−９，１０−１０，１０−１１，１０−１２が行列状に配置されて構成される１つの画面である。マルチ画面１０Ａの形状は、矩形である。
【００３５】
以下においては、画面１０−１，１０−２，１０−３，１０−４，１０−５，１０−６，１０−７，１０−８，１０−９，１０−１０，１０−１１，１０−１２の各々を、「画面１０」とも表記する。すなわち、マルチ画面１０Ａは、複数の映像表示装置１００がそれぞれ有する複数の画面１０が行列状に配置されて構成される。画面１０は、映像を表示するための面である。画面１０は、例えば、ガラス、スクリーン等である。なお、マルチ画面１０Ａを構成する画面１０の数は、１２に限定されず、２〜１１または１３以上であってもよい。
【００３６】
なお、各映像表示装置１００の画面１０は、一例として、当該映像表示装置１００の前面全体に配置される。そのため、図３のマルチ画面１０Ａの形状は、図２のマルチ画面表示装置１０００のＸＹ面の形状と同じである。
【００３７】
なお、マルチ画面表示装置１０００は、複数の映像表示装置１００の画面１０により矩形のマルチ画面１０Ａが構成されるように、当該複数の映像表示装置１００が行列状に配置されて構成される。マルチ画面表示装置１０００は、各映像表示装置１００が画面１０に映像を表示することにより、マルチ画面１０Ａに映像を表示する。
【００３８】
次に、映像表示装置１００の構成について説明する。図４は、本発明の実施の形態１に係る映像表示装置１００の構成を示すブロック図である。なお、図４には、映像表示装置１００に含まれない映像ソース装置４および外部制御装置５も示される。
【００３９】
映像表示装置１００は、制御部２０と、記憶部３２と、外部制御端子３４と、入力端子３５ａと、出力端子３５ｂと、通信処理部３３と、映像入力回路３７と、表示処理部３８と、表示部４０とを備える。
【００４０】
制御部２０は、映像表示装置１００内の各部（例えば、通信処理部３３、表示処理部３８）を制御する。制御部２０は、例えば、ＣＰＵ（Central Processing Unit）である。制御部２０は、算出部２１と、設定部２２とを含む。算出部２１は、詳細は後述するが、各種の演算を行う。設定部２２は、詳細は後述するが、各種情報の設定を行う。
【００４１】
なお、制御部２０に含まれる、算出部２１および設定部２２の全て又は一部は、ＬＳＩ（Large Scale Integration）等のハードウエアで構成されてもよい。また、算出部２１および設定部２２の全て又は一部は、ＣＰＵ等のプロセッサにより実行される、プログラムのモジュールであってもよい。
【００４２】
入力端子３５ａは、前述のデイジーチェーン通信において、データ（情報）を受信するための端子である。また、出力端子３５ｂは、デイジーチェーン通信において、データ（情報）を送信するための端子である。なお、入力端子３５ａおよび出力端子３５ｂの各々は、デイジーチェーン通信以外の通信では、データ（情報）の受信および送信に利用される場合がある。
【００４３】
前述したように、マルチ画面表示装置１０００を構成する複数の映像表示装置１００は、通信ケーブル７１によりデイジーチェーン接続されている。具体的には、順序番号ｎの映像表示装置１００の出力端子３５ｂと、順序番号（ｎ＋１）の映像表示装置１００の入力端子３５ａとが、通信ケーブル７１により接続される。
【００４４】
例えば、映像表示装置１００−１の出力端子３５ｂと、映像表示装置１００−２の入力端子３５ａとは、通信ケーブル７１により接続される。また、例えば、映像表示装置１００−２の出力端子３５ｂと、映像表示装置１００−３の入力端子３５ａとは、通信ケーブル７１により接続される。
【００４５】
以下においては、マルチ画面表示装置１０００を構成する複数の映像表示装置１００のうち、伝達順序が１番目である映像表示装置１００を、「基準映像表示装置」または「マスター装置」ともいう。映像表示装置１００−１は、基準映像表示装置（マスター装置）である。
【００４６】
また、以下においては、マルチ画面表示装置１０００を構成する複数の映像表示装置１００のうち、マスター装置以外の映像表示装置１００を、「スレーブ装置」ともいう。例えば、図１の映像表示装置１００−２，１００−３，１００−４，１００−５，１００−６，１００−７，１００−８，１００−９，１００−１０，１００−１１，１００−１２は、スレーブ装置である。すなわち、マルチ画面表示装置１０００は、１台のマスター装置と、１台以上のスレーブ装置とを含む。
【００４７】
外部制御端子３４は、マスター装置のみが使用する。外部制御端子３４は、外部制御装置５との通信に使用される。マスター装置の外部制御端子３４は、制御ケーブル７０により、外部制御装置５と接続される。すなわち、マスター装置は、制御ケーブル７０により、外部制御装置５と接続される。
【００４８】
また、映像表示装置１００は、通信に関する動作モードとして、通常モードと、識別用設定モードとを有する。通常モードは、映像表示装置１００が、前述の伝達順序に従って、データ（情報）を送信するためのモードである。識別用設定モードは、詳細は後述するが、識別情報としての後述の識別番号を設定するためのモードである。
【００４９】
また、映像表示装置１００は、情報を入力するための情報入力モードを有する。情報入力モードは、映像表示装置１００により有効化または無効化される。情報入力モードが有効化された映像表示装置１００では、外部からの情報の入力を受けつけることができる。
【００５０】
通信処理部３３は、各種の通信を制御する。通信処理部３３は、通信を制御するための状態として、通常状態および上流方向転送停止状態を有する。
【００５１】
マスター装置における通常状態の通信処理部３３は、外部制御端子３４が受信したデータ（信号）を、出力端子３５ｂへ送信（転送）する。マスター装置の出力端子３５ｂから送信されたデータ（信号）は、伝達順序が２番目である映像表示装置１００（スレーブ装置）へ送信される。
【００５２】
スレーブ装置における通常状態の通信処理部３３は、入力端子３５ａが受信したデータ（信号）を、出力端子３５ｂへ送信（転送）する。当該出力端子３５ｂへ送信されるデータは、当該スレーブ装置の後隣接の映像表示装置１００（スレーブ装置）へ送信される。
【００５３】
また、スレーブ装置における通常状態の通信処理部３３は、出力端子３５ｂが受信したデータを、入力端子３５ａへ送信（転送）する。当該入力端子３５ａへ送信されるデータは、当該スレーブ装置の前隣接の映像表示装置１００（マスター装置またはスレーブ装置）へ送信される。
【００５４】
また、マスター装置における通常状態の通信処理部３３は、外部制御端子３４、入力端子３５ａまたは出力端子３５ｂが受信したデータを、制御部２０へ送信する。また、通常状態の通信処理部３３は、制御部２０から受信するデータ（信号）を、当該データの宛先（送信先）に従って、外部制御端子３４、入力端子３５ａまたは出力端子３５ｂへ送信する。当該データの宛先は、例えば、外部制御装置５、または、別の映像表示装置１００である。通信処理部３３は、状況に応じて通信相手を変える通信切替部として機能する。
【００５５】
また、スレーブ装置における通常状態の通信処理部３３は、入力端子３５ａまたは出力端子３５ｂが受信したデータを、制御部２０へ送信する。また、通常状態の通信処理部３３は、制御部２０から受信するデータ（信号）を、当該データの宛先に従って、入力端子３５ａまたは出力端子３５ｂへ送信する。
【００５６】
なお、上流方向転送停止状態の通信処理部３３は、出力端子３５ｂが受信したデータを、制御部２０のみへ送信し、入力端子３５ａへ送信しない。また、上流方向転送停止状態の通信処理部３３は、入力端子３５ａが受信したデータ（信号）を、出力端子３５ｂへ送信（転送）する。
【００５７】
映像入力回路３７は、マルチ画面表示装置１０００の外部に配置された映像ソース装置４が出力する映像信号を受信する。次に、映像入力回路３７は、デジタル信号に変換した映像信号を、表示処理部３８へ出力する。
【００５８】
表示処理部３８は、表示部４０を制御する。具体的には、表示処理部３８は、受信した映像信号が示す画像に対し画質調整等の画像処理を行う画像処理回路である。また、表示処理部３８は、ＯＳＤ（On Screen Display）などの画像処理の機能も有する。表示処理部３８は、画像処理された映像信号を、表示部４０が処理可能なフォーマットの映像信号に変換する。
【００５９】
また、表示処理部３８は、必要に応じて、制御部２０からの指示に従って、映像信号が示す画像に、例えば、メニューなどの情報を重畳した画像を示す映像信号を、表示部４０へ送信する。
【００６０】
表示部４０は、画面１０（図示せず）に映像を表示するためのデバイスである。表示部４０は、表示処理部３８から受信した映像信号が示す画像を画面１０に表示する。表示部４０は、ＬＣＤパネルである。なお、表示部４０は、ＬＣＤパネルに限定されず、画像を表示する他の方式の装置であってもよい。表示部４０は、例えば、リアプロジェクション方式の表示装置のうち、画面１０に映像を投射するための表示デバイス等であってもよい。
【００６１】
外部制御装置５が、マルチ画面表示装置１０００を構成する各映像表示装置１００のうち、特定の映像表示装置１００を個別に制御する場合、当該各映像表示装置１００に、異なる識別番号が設定される必要がある。当該識別番号は、映像表示装置１００を識別するための番号（ＩＤ）である。以下においては、識別番号を、「識別番号ｉ」とも表記する。
【００６２】
また、例えば、マルチ画面表示装置１０００が、拡大表示処理を行うとする。拡大表示処理では、例えば、マルチ画面１０Ａ全体に、図５（ａ）の画像Ｇ１０を表示する処理を行うとする。すなわち、マルチ画面表示装置１０００が、画像Ｇ１０を拡大表示する処理を行うとする。この場合、各映像表示装置１００へ画像Ｇ１０が共通して送信される。そして、各映像表示装置１００は、画像Ｇ１０のうち、必要な領域の画像を拡大して表示する。例えば、映像表示装置１００−１は、画像Ｇ１０のうち、領域Ｒ１０内の画像を、画面１０−１に拡大して表示する（図５（ｂ）参照）。
【００６３】
拡大表示処理を行うために、マルチ画面表示装置１０００を構成する各映像表示装置１００には、行列情報ＭＪ（後述の配置情報ＫＪ）、前述の順序番号、座標Ｐ等が予め設定される。行列情報ＭＪとは、マルチ画面１０Ａにおける各映像表示装置１００の位置を特定するための行列の情報である。
【００６４】
以下においては、マルチ画面１０Ａにおいて、各映像表示装置１００の位置を特定するための行列を、「行列ＭＸ」ともいう。すなわち、行列ＭＸは、マルチ画面表示装置１０００を構成するように、行列状に配置された複数の映像表示装置１００に対応する行列である。例えば、図２において、マルチ画面表示装置１０００は、１２台の映像表示装置１００が、行列ＭＸとしての３行４列の行列状に配置されて構成される。また、行列情報ＭＪとは、行列ＭＸにおける行数ｒｗ（ｒｗは自然数）および列数ｃｌ（ｃｌは自然数）である。
【００６５】
また、以下においては、複数の映像表示装置１００が行列状に配置されて構成されたマルチ画面表示装置１０００における水平方向（Ｘ軸方向）の映像表示装置１００の数を、「水平数Ｈｍ」ともいう。なお、Ｈｍは自然数である。水平数Ｈｍは、列数ｃｌと同じである。
【００６６】
また、以下においては、複数の映像表示装置１００が行列状に配置されて構成されたマルチ画面表示装置１０００における垂直方向（Ｙ軸方向）の映像表示装置１００の数を、「垂直数Ｖｍ」ともいう。なお、Ｖｍは自然数である。垂直数Ｖｍは、行数ｒｗと同じである。例えば、図２の構成では、水平数Ｈｍは４であり、垂直数Ｖｍは３である。水平数Ｈｍと垂直数Ｖｍとにより配置情報ＫＪが構成される。
【００６７】
配置情報ＫＪは、映像表示装置１００の配置構成を示すための情報である。具体的には、配置情報ＫＪは、マルチ画面表示装置１０００を構成する複数の映像表示装置１００の配置構成を特定するための情報である。なお、前述のように、水平数Ｈｍは、列数ｃｌと同じであり、垂直数Ｖｍは、行数ｒｗと同じである。すなわち、配置情報ＫＪは、行列ＭＸの行数ｒｗおよび列数ｃｌである。
【００６８】
座標Ｐとは、マルチ画面１０Ａにおける、映像表示装置１００の座標である。座標Ｐは、（ＨＬ（自然数）、ＶＬ（自然数））で表現される。座標Ｐ（ＨＬ、ＶＬ）において、「ＨＬ」は、マルチ画面１０Ａにおける映像表示装置１００の水平方向（Ｘ軸方向）の座標（位置）である。「ＶＬ」は、マルチ画面１０Ａにおける映像表示装置１００の垂直方向（Ｙ軸方向）の座標（位置）である。例えば、図３において、映像表示装置１００−３の座標Ｐは、（３，１）である。
【００６９】
上記の配置情報ＫＪ（行列情報ＭＪ）、順序番号、座標Ｐ等に従って、各映像表示装置１００は、画像Ｇ１０のうち、必要な領域の画像を、画面１０全体に拡大表示する。ここで、一例として、映像表示装置１００−１には、水平数Ｈｍ＝４、垂直数Ｖｍ＝３および座標Ｐ（１，１）が設定されているとする。この場合、映像表示装置１００−１は、図５（ａ）の領域Ｒ１０内の画像を、図５（ｂ）のように、画面１０−１に拡大表示する。
【００７０】
本実施の形態では、マルチ画面表示装置１０００を構成する各映像表示装置１００に、識別情報としての識別番号ｉと、座標Ｐとを設定するための処理（以下、「識別情報設定対応処理」ともいう）が行われる。以下においては、識別番号設定処理において外部制御装置５が行う処理を、「識別情報設定対応処理ＢＸ」ともいう。なお、前述したように、外部制御装置５は、制御ケーブル７０により、図３の画面１０−１を有する映像表示装置１００−１の外部制御端子３４と接続される。
【００７１】
図６は、識別情報設定対応処理ＢＸのフローチャートである。識別情報設定対応処理ＢＸでは、まず、ステップＳ１１０の処理が行われる。
【００７２】
ステップＳ１１０では、情報入力モード有効化処理が行われる。情報入力モード有効化処理では、外部制御装置５が、入力モード有効指示をマスター装置へ送信する。入力モード有効指示とは、情報入力モードを有効化させるための指示である。入力モード有効指示を受信したマスター装置は、情報入力モードを有効化する。これにより、マスター装置は、外部からの情報の入力を受けつけることができる。
【００７３】
ステップＳ１２０では、前述の配置情報ＫＪを入力するための配置情報入力処理が行われる。配置情報入力処理では、作業者が、外部制御装置５に対し、操作インタフェースを利用して、配置情報ＫＪとして、水平数Ｈｍおよび垂直数Ｖｍを入力する。
【００７４】
そして、外部制御装置５は、入力された水平数Ｈｍ、垂直数Ｖｍを示す配置情報ＫＪを、マスター装置へ送信する。なお、配置情報ＫＪの送信先は、マスター装置のみに設定される。これにより、マスター装置の通信処理部３３は、外部制御端子３４から配置情報ＫＪを受信する。そして、当該通信処理部３３は、配置情報ＫＪを、制御部２０のみへ送信する。そして、制御部２０は、当該配置情報ＫＪ（水平数Ｈｍ、垂直数Ｖｍ）を、記憶部３２に記憶させる。
【００７５】
以下においては、水平方向（Ｘ軸方向）において隣接する２台の映像表示装置１００を接続する通信ケーブル７１を、「水平接続ケーブル」ともいう。水平接続ケーブルは、例えば、図１において、映像表示装置１００−１と映像表示装置１００−２とを接続する通信ケーブル７１である。また、以下においては、垂直方向（Ｙ軸方向）において隣接する２台の映像表示装置１００を接続する通信ケーブル７１を、「垂直接続ケーブル」ともいう。垂直接続ケーブルは、例えば、図１において、映像表示装置１００−４と映像表示装置１００−５とを接続する通信ケーブル７１である。
【００７６】
ステップＳ１３０では、配線構成情報Ｗを入力するための配線構成情報入力処理が行われる。配線構成情報Ｗとは、各映像表示装置１００を接続する各通信ケーブル７１の構成を特定する情報である。以下においては、各映像表示装置１００を接続する各通信ケーブル７１の構成を、「ケーブル接続構成」ともいう。
【００７７】
また、以下においては、行列状に配置された複数の映像表示装置１００に対応する行列ＭＸの各行に対応する各映像表示装置１００が、水平接続ケーブルにより接続される構成を、「水平接続構成」ともいう。水平接続構成は、例えば、図１に示されるケーブル接続構成である。水平接続構成では、行列ＭＸの各行に対応する各映像表示装置１００に対する、各通信ケーブル７１の接続方向は水平方向（Ｘ軸方向）である。
【００７８】
なお、水平接続構成では、行列ＭＸの各行に対応する各映像表示装置１００のうち、順序番号が最大である映像表示装置１００は、当該映像表示装置１００のＹ方向に隣接する映像表示装置１００と、垂直接続ケーブルとしての通信ケーブル７１により接続される。例えば、図１において、行列ＭＸの１行目に対応する各映像表示装置１００のうち、順序番号が４である映像表示装置１００−４は、当該映像表示装置１００−４のＹ方向に隣接する映像表示装置１００−５と、垂直接続ケーブルとしての通信ケーブル７１により接続される。
【００７９】
なお、本実施の形態では、基準映像表示装置（マスター装置）は、マルチ画面１０Ａの４つの角部のいずれかに配置される。当該４つの角部は、それぞれ、図７の左上端部ＬＴ、右上端部ＲＴ，左下端部ＬＢおよび右下端部ＲＢである。例えば、図２の基準映像表示装置（映像表示装置１００−１）が配置されている位置は、左上端部ＬＴである。
【００８０】
また、水平接続構成では、基準映像表示装置（マスター装置）が配置される位置によって、垂直接続ケーブルの位置が変わる。具体的には、水平接続構成では、基準映像表示装置（マスター装置）の位置が、左上端部ＬＴ、右上端部ＲＴ，左下端部ＬＢおよび右下端部ＲＢのいずれかであるかによって、垂直接続ケーブルの位置が変わる。
【００８１】
ここで、図１のケーブル接続構成の各映像表示装置１００において、基準映像表示装置（マスター装置）の位置が、一例として、左上端部ＬＴであるとする。この場合、垂直接続ケーブルは、例えば、右上端部ＲＴに存在する映像表示装置１００−４と、当該映像表示装置１００−４のＹ方向に隣接する映像表示装置１００−５とを接続するための位置に設けられる。この場合の水平接続構成は、図８（ａ）の矢印で示す伝達順序でデータが伝達されるように、通信ケーブル７１により各映像表示装置１００が接続される構成である。
【００８２】
ここで、水平接続構成において、基準映像表示装置（マスター装置）の位置が、一例として、右上端部ＲＴであるとする。この場合、垂直接続ケーブルは、例えば、左上端部ＬＴに存在する映像表示装置１００と、当該映像表示装置１００のＹ方向に隣接する映像表示装置１００とを接続するための位置に設けられる。
【００８３】
以下においては、行列状に配置された複数の映像表示装置１００に対応する行列ＭＸの各列に対応する各映像表示装置１００が、垂直接続ケーブルにより接続される構成を、「垂直接続構成」ともいう。垂直接続構成は、例えば、図９に示されるケーブル接続構成である。垂直接続構成では、行列ＭＸの各列に対応する各映像表示装置１００に対する、各通信ケーブル７１の接続方向は垂直方向（Ｙ軸方向）である。
【００８４】
なお、垂直接続構成では、行列ＭＸの各列に対応する各映像表示装置１００のうち、順序番号が最大である映像表示装置１００は、当該映像表示装置１００のＸ方向に隣接する映像表示装置１００と、水平接続ケーブルとしての通信ケーブル７１により接続される。例えば、図９において、行列ＭＸの１列目に対応する各映像表示装置１００のうち、順序番号が３である映像表示装置１００−３は、当該映像表示装置１００−３のＸ方向に隣接する映像表示装置１００−４と、水平接続ケーブルとしての通信ケーブル７１により接続される。
【００８５】
また、垂直接続構成では、基準映像表示装置（マスター装置）の位置によって、垂直接続ケーブルの位置が変わる。具体的には、垂直接続構成では、基準映像表示装置（マスター装置）の位置が、左上端部ＬＴ、右上端部ＲＴ，左下端部ＬＢおよび右下端部ＲＢのいずれかであるかによって、水平接続ケーブルの位置が変わる。
【００８６】
ここで、図９のケーブル接続構成の各映像表示装置１００において、基準映像表示装置（マスター装置）の位置が、一例として、左上端部ＬＴであるとする。この場合、水平接続ケーブルは、例えば、左下端部ＬＢに存在する映像表示装置１００−３と、当該映像表示装置１００−３のＸ方向に隣接する映像表示装置１００−４とを接続するための位置に設けられる。この場合の垂直接続構成は、図８（ｂ）の矢印で示す伝達順序でデータが伝達されるように、通信ケーブル７１により各映像表示装置１００が接続される構成である。
【００８７】
ここで、垂直接続構成において、基準映像表示装置（マスター装置）の位置が、一例として、左下端部ＬＢであるとする。この場合、水平接続ケーブルは、例えば、左上端部ＬＴに存在する映像表示装置１００と、当該映像表示装置１００のＸ方向に隣接する映像表示装置１００とを接続するための位置に設けられる。
【００８８】
再び、図６を参照して、ステップＳ１３０の配線構成情報入力処理では、作業者が、外部制御装置５に対し、操作インタフェースを利用して、配線構成情報Ｗを入力する。当該配線構成情報Ｗは、例えば、前述の水平接続構成または垂直接続構成を特定する情報である。
【００８９】
そして、外部制御装置５は、入力された配線構成情報Ｗを、マスター装置へ送信する。なお、配線構成情報Ｗの送信先は、マスター装置のみに設定される。これにより、マスター装置の通信処理部３３は、外部制御端子３４から配線構成情報Ｗを受信する。そして、当該通信処理部３３は、配線構成情報Ｗを、制御部２０のみへ送信する。そして、制御部２０は、当該配線構成情報Ｗを、記憶部３２に記憶させる。
【００９０】
ステップＳ１４０では、位置情報ＬＪを入力するための位置情報入力処理が行われる。位置情報ＬＪとは、マスター装置（基準映像表示装置）が配置される位置を示す情報である。マスター装置（基準映像表示装置）が配置される位置は、前述の左上端部ＬＴ、右上端部ＲＴ，左下端部ＬＢおよび右下端部ＲＢのいずれかである。
【００９１】
位置情報入力処理では、作業者が、外部制御装置５に対し、操作インタフェースを利用して、位置情報ＬＪを入力する。位置情報ＬＪは、左上端部ＬＴ、右上端部ＲＴ，左下端部ＬＢおよび右下端部ＲＢのいずれかを特定する情報である。例えば、マスター装置（基準映像表示装置）が配置されている位置が左上端部ＬＴである場合、入力される位置情報ＬＪは、左上端部ＬＴを示す。
【００９２】
そして、外部制御装置５は、入力された位置情報ＬＪを、マスター装置へ送信する。なお、位置情報ＬＪの送信先は、マスター装置のみに設定される。これにより、マスター装置の通信処理部３３は、外部制御端子３４から位置情報ＬＪを受信する。そして、当該通信処理部３３は、位置情報ＬＪを、制御部２０のみへ送信する。そして、制御部２０は、当該位置情報ＬＪを、記憶部３２に記憶させる。
【００９３】
以下においては、各映像表示装置１００に対し、識別情報である識別番号ｉを設定するため規則を、「識別用設定規則Ｂ」または「識別用設定規則」ともいう。識別用設定規則Ｂは、マルチ画面表示装置１０００を構成する各映像表示装置１００に対し、識別情報である識別番号ｉを設定するための予め定められた規則である。識別用設定規則Ｂは、作業者（人）が識別番号ｉを認識しやすいように定められた規則である。
【００９４】
ステップＳ１５０では、識別用設定規則情報Ｒを入力するための識別用設定規則情報入力処理が行われる。識別用設定規則情報Ｒとは、識別用設定規則Ｂを特定する情報である。
【００９５】
以下においては、識別番号ｉの設定対象となる映像表示装置１００を、「設定対象映像表示装置」ともいう。また、以下においては、行列ＭＸのうち、下端の行を除く各行に対応する各映像表示装置１００のうち、行列ＭＸの右端の列に対応する映像表示装置１００を、「右端映像表示装置」ともいう。例えば、図１において、行列ＭＸの１行目に対応する右端映像表示装置は、映像表示装置１００−４である。また、以下においては、行列ＭＸのうち、１行目を除く各行に対応する各映像表示装置１００のうち、行列ＭＸの左端の列に対応する映像表示装置１００を、「左端映像表示装置」ともいう。
【００９６】
また、以下においては、マルチ画面表示装置１０００を構成する各映像表示装置１００に対し、例えば、図１０（ａ）のように識別番号ｉを設定するための識別用設定規則を、「水平設定規則」ともいう。また、以下においては、マルチ画面１０Ａにおけるマスター装置（基準映像表示装置）の位置を、「基準位置ＢＬ」ともいう。基準位置ＢＬは、例えば、図７の左上端部ＬＴ、右上端部ＲＴ，左下端部ＬＢおよび右下端部ＲＢのいずれかである。
【００９７】
以下においては、基準位置ＢＬを起点として、マルチ画面１０Ａに対し水平方向（Ｘ軸方向）に沿って、スキャンする順序を変化させるラスタースキャンを、「水平ラスタースキャン」ともいう。
【００９８】
ここで、基準位置ＢＬは、一例として、左上端部ＬＴであるとする。この場合、上記の水平設定規則は、水平ラスタースキャンに従った順序に基づいて定められている。すなわち、水平設定規則では、行列ＭＸの各行に対応する各映像表示装置１００において、設定対象映像表示装置が１つ右に移動する毎に、設定される識別番号ｉの値は、１インクリメントされる。
【００９９】
具体的には、水平設定規則では、行列ＭＸの各行に対応する各映像表示装置１００において、（ＨＬ＋１）列目の映像表示装置１００に対し設定される識別番号ｉの値は、ＨＬ列目の映像表示装置１００に対し設定される識別番号ｉの値より１だけ大きくされる。例えば、図１において、行列ＭＸの１行目に対応する各映像表示装置１００において、２列目の映像表示装置１００−２に対し設定される識別番号ｉの値は、図１０（ａ）のように、１列目の映像表示装置１００−１に対し設定される識別番号ｉ（１）より１だけ大きい２が設定される。
【０１００】
なお、水平設定規則では、右端映像表示装置の次に識別番号ｉの設定対象となる設定対象映像表示装置は、行列ＭＸのうち、当該右端映像表示装置に対応する行の次の行に対応する左端映像表示装置である。例えば、水平設定規則では、行列ＭＸの１行目に対応する映像表示装置１００−４の次に識別番号ｉの設定対象となる設定対象映像表示装置は、行列ＭＸの２行目に対応する映像表示装置１００−８である。
【０１０１】
また、以下においては、行列ＭＸのうち、右端の列を除く各列に対応する各映像表示装置１００のうち、行列ＭＸの下端の行に対応する映像表示装置１００を、「下端映像表示装置」ともいう。例えば、図９において、行列ＭＸの１列目に対応する下端映像表示装置は、映像表示装置１００−３である。また、以下においては、行列ＭＸのうち、１列目を除く各列に対応する各映像表示装置１００のうち、行列ＭＸの上端の行に対応する映像表示装置１００を、「上端映像表示装置」ともいう。
【０１０２】
また、以下においては、マルチ画面表示装置１０００を構成する各映像表示装置１００に対し、例えば、図１０（ｂ）のように識別番号ｉを設定するための識別用設定規則を、「垂直設定規則」ともいう。また、以下においては、基準位置ＢＬを起点としてマルチ画面１０Ａに対し垂直方向に沿って、スキャンする順序を変化させるラスタースキャンを、「垂直ラスタースキャン」ともいう。
【０１０３】
ここで、基準位置ＢＬは、一例として、左上端部ＬＴであるとする。この場合、当該垂直設定規則は、垂直ラスタースキャンに従った順序に基づいて定められている。すなわち、垂直設定規則では、行列ＭＸの各列に対応する各映像表示装置１００において、設定対象映像表示装置が１つ下に移動する毎に、設定される識別番号ｉの値は、１インクリメントされる。
【０１０４】
具体的には、垂直設定規則では、行列ＭＸの各列に対応する各映像表示装置１００において、（ＶＬ＋１）行目の映像表示装置１００に対し設定される識別番号ｉの値は、ＶＬ行目の映像表示装置１００に対し設定される識別番号ｉの値より１だけ大きくされる。例えば、図９において、行列ＭＸの１列目に対応する各映像表示装置１００において、２行目の映像表示装置１００−２に対し設定される識別番号ｉの値は、１行目の映像表示装置１００−１に対し設定される識別番号ｉ（１）より１だけ大きい２が設定される。
【０１０５】
なお、垂直設定規則では、下端映像表示装置の次に識別番号ｉの設定対象となる設定対象映像表示装置は、行列ＭＸのうち、当該下端映像表示装置に対応する列の次の列に対応する上端映像表示装置である。例えば、垂直設定規則では、行列ＭＸの１列目に対応する映像表示装置１００−３の次に識別番号ｉの設定対象となる設定対象映像表示装置は、行列ＭＸの２列目に対応する映像表示装置１００−６である。
【０１０６】
再び、図６を参照して、ステップＳ１５０の識別用設定規則情報入力処理では、作業者が、外部制御装置５に対し、操作インタフェースを利用して、識別用設定規則情報Ｒを入力する。当該識別用設定規則情報Ｒは、例えば、水平設定規則または垂直設定規則を特定する情報である。
【０１０７】
そして、外部制御装置５は、入力された識別用設定規則情報Ｒを、マスター装置へ送信する。なお、識別用設定規則情報Ｒの送信先は、マスター装置のみに設定される。これにより、マスター装置の通信処理部３３は、外部制御端子３４から識別用設定規則情報Ｒを受信する。そして、当該通信処理部３３は、識別用設定規則情報Ｒを、制御部２０のみへ送信する。そして、制御部２０は、当該識別用設定規則情報Ｒを、記憶部３２に記憶させる。
【０１０８】
ステップＳ１６０では、外部制御装置５が、識別用設定実行指示Ｍを、マスター装置（映像表示装置１００−１）へ送信する。識別用設定実行指示Ｍは、マスター装置に、識別情報としての識別番号ｉを設定させるための処理（以下、「識別情報設定対応処理ＢＭ」ともいう）を実行させるための指示である。識別用設定実行指示Ｍの送信先は、マスター装置のみである。すなわち、識別用設定実行指示Ｍは、マスター装置のみに送信される指示である。
【０１０９】
マスター装置は、識別用設定実行指示Ｍの受信に従い、識別情報設定対応処理ＢＭを実行する。具体的には、マスター装置の通信処理部３３は、外部制御端子３４から識別用設定実行指示Ｍを受信する。そして、当該通信処理部３３は、識別用設定実行指示Ｍを、制御部２０のみへ送信する。これにより、マスター装置の制御部２０は、識別用設定実行指示Ｍを受信する。制御部２０は、識別用設定実行指示Ｍに従い、識別情報設定対応処理ＢＭを実行する。
【０１１０】
次に、識別情報設定対応処理ＢＭについて説明する。図１１は、識別情報設定対応処理ＢＭのフローチャートである。識別情報設定対応処理ＢＭでは、まず、ステップＳ２１０の処理が行われる。
【０１１１】
ステップＳ２１０では、算出部２１（制御部２０）が、カウンタＣＴの値を“０”に設定する。カウンタＣＴは、識別情報の設定のために、数値が設定される内部カウンタである。以下においては、カウンタＣＴを、単に、「ＣＴ」ともいう。
【０１１２】
ステップＳ２２０では、座標算出処理が行われる。座標算出処理では、要約すれば、算出部２１が、配置情報ＫＪと前述の伝達順序とに基づいて、マルチ画面１０Ａにおける、マルチ画面表示装置１０００を構成する複数の映像表示装置１００の座標Ｐ（位置）を算出する。少し具体的には、算出部２１が、基準映像表示装置であるマスター装置が配置される位置に基づいて、座標Ｐを算出する。
【０１１３】
図１２は、座標算出処理のフローチャートである。以下においては、座標算出処理において座標の算出の対象となる映像表示装置１００を、「対象装置ＰＤ」ともいう。まず、座標算出処理において、マスター装置の座標を算出するための処理について説明する。座標算出処理では、まず、ステップＳ２２１の処理が行われる。
【０１１４】
ステップＳ２２１では、ケーブル接続構成の種類が判定される。具体的には、算出部２１（制御部２０）が、ケーブル接続構成が、水平接続構成および垂直接続構成のいずれであるか判定する。さらに具体的には、算出部２１は、記憶部３２に記憶されている配線構成情報Ｗが、水平接続構成および垂直接続構成のいずれを特定する情報であるか判定する。
【０１１５】
ケーブル接続構成が水平接続構成である場合、すなわち、配線構成情報Ｗが水平接続構成を特定する情報である場合、処理はステップＳ２２２Ａへ移行する。一方、ケーブル接続構成が垂直接続構成である場合、すなわち、配線構成情報Ｗが垂直接続構成を特定する情報である場合、処理はステップＳ２２２Ｂへ移行する。
【０１１６】
ここで、ＸＹ平面における方向を、図１３を用いて、以下のように定義する。図１３（ａ）は、マスター装置（基準映像表示装置）の位置が左上端部ＬＴである状態における、各映像表示装置１００の配置構成を示す。図１３（ｂ）は、マスター装置の位置が右上端部ＲＴである状態における、各映像表示装置１００の配置構成を示す。図１３（ｃ）は、マスター装置の位置が左下端部ＬＢである状態における、各映像表示装置１００の配置構成を示す。図１３（ｄ）は、マスター装置の位置が右下端部ＲＢである状態における、各映像表示装置１００の配置構成を示す。
【０１１７】
以下においては、伝達順序が２番目である映像表示装置１００−２を、「２番目装置」ともいう。２番目装置は、通信ケーブル７１により、マスター装置（基準映像表示装置）と接続される装置である。
【０１１８】
図１３（ａ）〜（ｄ）を参照して、ＸＹ平面におけるＸ方向を「＋Ｈ方向」と定義する。また、ＸＹ平面における−Ｘ方向を「−Ｈ方向」と定義する。また、ＸＹ平面におけるＹ方向を「＋Ｖ方向」と定義する。また、ＸＹ平面における−Ｙ方向を「−Ｖ方向」と定義する。
【０１１９】
以下においては、水平方向（Ｘ軸方向）において、マスター装置（基準映像表示装置）と隣接する映像表示装置１００を、「水平隣接装置」ともいう。また、以下においては、垂直方向（Ｙ軸方向）において、マスター装置と隣接する映像表示装置１００を、「垂直隣接装置」ともいう。また、以下においては、マスター装置から、水平隣接装置へ向かう方向を、「水平隣接方向」ともいう。また、以下においては、マスター装置から、垂直隣接装置へ向かう方向を、「垂直隣接方向」ともいう。
【０１２０】
水平隣接方向および垂直隣接方向は、マスター装置が配置される位置により決まる。ここで、一例として、図１３（ａ）のように、マスター装置の位置が左上端部ＬＴであるとする。また、ケーブル接続構成が水平接続構成であるとする。
【０１２１】
この場合、図２のように、水平隣接装置は、映像表示装置１００−２（２番目装置）であり、垂直隣接装置は、映像表示装置１００−８である。また、図１３（ａ）のように、水平隣接方向は＋Ｈ方向であり、垂直隣接方向は＋Ｖ方向である。また、マスター装置は、水平接続ケーブルとしての通信ケーブル７１により、２番目装置と接続される。
【０１２２】
また、他の例として、図１３（ａ）のように、マスター装置の位置が左上端部ＬＴであるとする。また、ケーブル接続構成が垂直接続構成であるとする。この場合、図９のように、水平隣接装置は、映像表示装置１００−６であり、垂直隣接装置は、映像表示装置１００−２（２番目装置）である。また、図１３（ａ）のように、マスター装置は、垂直接続ケーブルとしての通信ケーブル７１により、２番目装置と接続される。
【０１２３】
また、さらに他の例として、図１３（ｂ）のように、マスター装置の位置が右上端部ＲＴであるとする。この場合、水平隣接方向は−Ｈ方向であり、垂直隣接方向は＋Ｖ方向である。
【０１２４】
また、さらに他の例として、図１３（ｃ）のように、マスター装置の位置が左下端部ＬＢであるとする。この場合、水平隣接方向は＋Ｈ方向であり、垂直隣接方向は−Ｖ方向である。
【０１２５】
また、さらに他の例として、図１３（ｄ）のように、マスター装置の位置が右下端部ＲＢであるとする。この場合、水平隣接方向は−Ｈ方向であり、垂直隣接方向は−Ｖ方向である。
【０１２６】
ステップＳ２２２Ａでは、算出部２１（制御部２０）が、対応行が奇数行および偶数行のいずれであるかを判定する。対応行とは、対象装置ＰＤに対応する、行列ＭＸの行である。当該奇数行とは、マスター装置（基準映像表示装置）の位置を原点とした状態における行列ＭＸの奇数行である。当該偶数行とは、マスター装置の位置を原点とした状態における行列ＭＸの偶数行である。
【０１２７】
ここで、以下の前提Ａ１を考慮する。前提Ａ１では、一例として、各映像表示装置１００は、図２のように配置されている。また、前提Ａ１では、対象装置ＰＤが映像表示装置１００−１である。また、前提Ａ１では、マスター装置の位置が左上端部ＬＴであるとする。
【０１２８】
上記の前提Ａ１では、行列ＭＸの１行目は、図２の構成に対応する行列ＭＸの上端の行である。すなわち、行列ＭＸの１行目は、映像表示装置１００−１，１００−２等に対応する行である。また、対象装置ＰＤの対応行は、行列ＭＸの１行目である。また、前提Ａ１に対応する行列ＭＸの奇数行は、例えば、映像表示装置１００−１，１００−９等に対応する行である。また、前提Ａ１に対応する行列ＭＸの偶数行は、例えば、映像表示装置１００−８等に対応する行である。したがって、前提Ａ１では、対象装置ＰＤの対応行は、奇数行である。
【０１２９】
また、以下の前提Ａ２を考慮する。前提Ａ２では、１２台の映像表示装置１００が、図７のように行列ＭＸとしての３行４列の行列状に配置されている。また、前提Ａ２では、対象装置ＰＤが映像表示装置１００−１である。また、前提Ａ２では、マスター装置の位置が右上端部ＲＴである。
【０１３０】
上記の前提Ａ２では、行列ＭＸの１行目は、図７の構成に対応する行列ＭＸの上端の行である。また、対象装置ＰＤの対応行は、行列ＭＸの１行目である。また、前提Ａ２に対応する行列ＭＸの奇数行は、例えば、マスター装置に対応する行、左下端部ＬＢに配置された映像表示装置１００に対応する行等である。また、前提Ａ２に対応する行列ＭＸの偶数行は、例えば、マスター装置とＹ方向に隣接する映像表示装置１００に対応する行等である。したがって、前提Ａ２では、対象装置ＰＤの対応行は、奇数行である。
【０１３１】
ステップＳ２２２Ａにおいて、対応行が奇数行および偶数行のいずれであるかは、例えば、以下の方法により算出される。具体的には、算出部２１（制御部２０）が、カウンタＣＴの最新の値と、記憶部３２に記憶されている水平数Ｈｍとを用いて、対応行が奇数行および偶数行のいずれであるかを判定する。
【０１３２】
まず、ＣＴ／Ｈｍで得られる値の整数部を、「判定値Ｓ」と定義する。当該Ｈｍは、水平数Ｈｍである。ここで、一例として、ＣＴが０であり、Ｈｍが４であるとする。この場合、判定値Ｓは０である。また、他の例として、ＣＴが５であり、Ｈｍが４であるとする。この場合、判定値Ｓは、５／４＝１．２５より、１である。すなわち、判定値Ｓは、１．２５の整数部１である。
【０１３３】
また、判定値Ｓ／２で表現される式の剰余を、「行判定値Ｓａ」と定義する。ここで、一例として、判定値Ｓが０であるとする。この場合、行判定値Ｓａは、０／２より、０である。すなわち、行判定値Ｓａは、０／２という割り算の余りに相当する０である。また、他の例として、判定値Ｓが１であるとする。この場合、行判定値Ｓａは、１／２より、１である。すなわち、行判定値Ｓａは、１／２という割り算の余りに相当する１である。また、他の例として、判定値Ｓが２であるとする。この場合、行判定値Ｓａは、２／２より、０である。すなわち、行判定値Ｓａは、２／２という割り算の余りに相当する０である。
【０１３４】
行判定値Ｓａが０である場合、算出部２１は、対象装置ＰＤの対応行が奇数行であると判定する。この場合、処理はステップＳ２２３Ａへ移行する。行判定値Ｓａが１である場合、算出部２１は、対象装置ＰＤの対応行が偶数行であると判定する。この場合、処理はステップＳ２２３Ｂへ移行する。
【０１３５】
ステップＳ２２３Ａでは、算出部２１（制御部２０）が、水平隣接方向が、＋Ｈ方向および−Ｈ方向のいずれであるかを判定する。当該水平隣接方向は、前述の図１３で説明したように、マスター装置が配置される位置により決まる。水平隣接方向が＋Ｈ方向である場合、処理はステップＳ２２４Ａへ移行する。一方、水平隣接方向が−Ｈ方向である場合、処理はステップＳ２２４Ｂへ移行する。
【０１３６】
以下においては、ＣＴ／Ｈｍで表現される式の剰余を、「ＭＡ」と定義する。ここで、一例として、ＣＴが０であり、Ｈｍが４であるとする。この場合、ＭＡは、０／４より、０である。すなわち、ＭＡは、０／４という割り算の余りに相当する０である。また、他の例として、ＣＴが５であり、Ｈｍが４であるとする。この場合、ＭＡは、５／４より、１である。すなわち、ＭＡは、５／４という割り算の余りに相当する１である。
【０１３７】
ステップＳ２２４Ａでは、算出部２１が、座標ＨＬを算出するための算出処理Ｈ１を行う。算出処理Ｈ１では、算出部２１が、座標ＨＬを、以下の式（１）により算出する。
【０１３８】
【数１】
2016045452.tif 000003
【０１３９】
ステップＳ２２４Ｂでは、算出部２１が、座標ＨＬを算出するための算出処理Ｈ２を行う。算出処理Ｈ２では、算出部２１が、座標ＨＬを、以下の式（２）により算出する。
【０１４０】
【数２】
2016045452.tif 000004
【０１４１】
なお、前述のステップＳ２２２Ａにおいて、対応行が偶数行である場合、処理はステップＳ２２３Ｂへ移行する。
【０１４２】
ステップＳ２２３Ｂでは、ステップＳ２２３Ａと同じ処理が行われる。水平隣接方向が＋Ｈ方向である場合、処理はステップＳ２２４Ｃへ移行する。一方、水平隣接方向が−Ｈ方向である場合、処理はステップＳ２２４Ｄへ移行する。
【０１４３】
ステップＳ２２４Ｃでは、算出部２１が、座標ＨＬを算出するための算出処理Ｈ３を行う。算出処理Ｈ３では、算出部２１が、座標ＨＬを、前述の式（２）により算出する。
【０１４４】
ステップＳ２２４Ｄでは、算出部２１が、座標ＨＬを算出するための算出処理Ｈ４を行う。算出処理Ｈ４では、算出部２１が、座標ＨＬを、前述の式（１）により算出する。
【０１４５】
ステップＳ２２５Ａでは、算出部２１（制御部２０）が、垂直隣接方向が、＋Ｖ方向および−Ｖ方向のいずれであるかを判定する。当該垂直隣接方向は、前述の図１３で説明したように、マスター装置が配置される位置により決まる。垂直隣接方向が＋Ｖ方向である場合、処理はステップＳ２２６Ａへ移行する。一方、垂直隣接方向が−Ｖ方向である場合、処理はステップＳ２２６Ｂへ移行する。
【０１４６】
以下においては、前述の判定値Ｓを、「ＭＢ」ともいう。当該判定値Ｓは、ＣＴ／Ｈｍで得られる値の整数部である。
【０１４７】
ステップＳ２２６Ａでは、算出部２１が、座標ＶＬを算出するための算出処理Ｖ１を行う。算出処理Ｖ１では、算出部２１が、座標ＶＬを、以下の式（３）により算出する。
【０１４８】
【数３】
2016045452.tif 000005
【０１４９】
ステップＳ２２６Ｂでは、算出部２１が、座標ＶＬを算出するための算出処理Ｖ２を行う。算出処理Ｖ２では、算出部２１が、座標ＶＬを、以下の式（４）により算出する。
【０１５０】
【数４】
2016045452.tif 000006
【０１５１】
以上により、ケーブル接続構成が水平接続構成である場合における、対象装置ＰＤの座標Ｐ（ＨＬ，ＶＬ）が算出される。
【０１５２】
ここで、以下の前提Ｂ１におけるマスター装置の座標Ｐ（ＨＬ，ＶＬ）の算出手順について説明する。前提Ｂ１では、ＣＴは０である。前提Ｂ１では、１２台の映像表示装置１００が、図２のように行列ＭＸとしての３行４列の行列状に配置されている。また、前提Ｂ１では、マスター装置の位置が左上端部ＬＴである。したがって、図１３（ａ）のように、水平隣接方向は＋Ｈ方向であり、垂直隣接方向は＋Ｖ方向である。また、前提Ｂ１では、水平数Ｈｍは４であり、垂直数Ｖｍは３である。また、前提Ｂ１では、ケーブル接続構成が水平接続構成である。
【０１５３】
上記の前提Ｂ１の場合、ステップＳ２２１の処理の後、ステップＳ２２２Ａの処理が行われる。上記の前提Ｂ１により、ＣＴ／Ｈｍで得られる値の整数部である判定値Ｓは、０である。したがって、判定値Ｓ／２で表現される式の剰余である行判定値Ｓａは、０である。行判定値Ｓａが０であるため、ステップＳ２２２Ａでは、算出部２１は、マスター装置の対応行が奇数行であると判定する。
【０１５４】
そして、前提Ｂ１において水平隣接方向は＋Ｈ方向であるため、ステップＳ２２３Ａの処理の後、ステップＳ２２４Ａの処理が行われる。なお、ＣＴ／Ｈｍで表現される式の剰余ＭＡは０である。そのため、算出処理Ｈ１の式（１）に前提Ｂ１における値（ＭＡ＝０）を代入した式、すなわち、０＋１＝１より、座標ＨＬは１と算出される。
【０１５５】
また、前提Ｂ１において垂直隣接方向は＋Ｖ方向であるため、ステップＳ２２６Ａの処理が行われる。なお、ＣＴ／Ｈｍで得られる値の整数部であるＭＢは、０である。そのため、算出処理Ｖ１の式（３）に前提Ｂ１における値（ＭＢ＝０）を代入した式、すなわち、０＋１＝１より、座標ＶＬは１と算出される。以上により、マスター装置の座標は、座標Ｐ（１，１）と算出される。
【０１５６】
次に、他の例として、前提Ｂ２におけるマスター装置の座標Ｐ（ＨＬ，ＶＬ）の算出手順について説明する。前提Ｂ２は、前提Ｂ１と比較して、マスター装置の位置が左上端部ＬＴであることの代わりに、マスター装置の位置が右上端部ＲＴである点のみが異なるとする。なお、前提Ｂ２のそれ以外の点は、前提Ｂ１と同じである。前提Ｂ２では、水平隣接方向は−Ｈ方向である。
【０１５７】
この前提Ｂ２の場合、ステップＳ２２１，Ｓ２２２Ａ，Ｓ２２３Ａ，Ｓ２２４Ｂの順で、前述の前提Ｂ１の場合と同様に処理が行われる。なお、ＣＴ／Ｈｍで表現される式の剰余ＭＡは０である。そのため、算出処理Ｈ２の式（２）に前提Ｂ２における各値（Ｈｍ＝４，ＭＡ＝０）を代入した式、すなわち、４−０＝４より、座標ＨＬは４と算出される。
【０１５８】
その後、上記前提Ｂ１の処理と同様に、ステップＳ２２５Ａ，Ｓ２２６Ａが行われることにより、座標ＶＬは１と算出される。以上により、マスター装置の座標は、座標Ｐ（４，１）と算出される。
【０１５９】
次に、他の例として、前提Ｂ３におけるマスター装置の座標Ｐ（ＨＬ，ＶＬ）の算出手順について説明する。前提Ｂ３は、前提Ｂ１と比較して、マスター装置の位置が左上端部ＬＴであることの代わりに、マスター装置の位置が左下端部ＬＢである点のみが異なるとする。なお、前提Ｂ３のそれ以外の点は、前提Ｂ１と同じである。前提Ｂ３では、垂直隣接方向は−Ｖ方向である。
【０１６０】
この前提Ｂ３の場合、ステップＳ２２１，Ｓ２２２Ａ，Ｓ２２３Ａ，Ｓ２２４Ｂ，Ｓ２２５Ａ，Ｓ２２６Ｂの順で、前述の前提Ｂ１の場合と同様に処理が行われる。なお、ＣＴ／Ｈｍで得られる値の整数部であるＭＢは、０である。そのため、算出処理Ｖ２の式（４）に前提Ｂ３における各値（Ｖｍ＝３，ＭＢ＝０）を代入した式、すなわち、３−０＝３より、座標ＶＬは３と算出される。以上により、マスター装置の座標は、座標Ｐ（１，３）と算出される。
【０１６１】
次に、ケーブル接続構成が垂直接続構成である場合における座標算出処理について説明する。ケーブル接続構成が垂直接続構成である場合、ステップＳ２２１により処理はステップＳ２２２Ｂへ移行する。
【０１６２】
ステップＳ２２２Ｂでは、算出部２１（制御部２０）が、対応列が奇数列および偶数列のいずれであるかを判定する。対応列とは、対象装置ＰＤに対応する、行列ＭＸの列である。当該奇数列とは、マスター装置（基準映像表示装置）の位置を原点とした状態における行列ＭＸの奇数列である。当該偶数列とは、マスター装置の位置を原点とした状態における行列ＭＸの偶数列である。
【０１６３】
ここで、以下の前提Ｃ１を考慮する。前提Ｃ１では、一例として、各映像表示装置１００は、図９のように配置されている。また、前提Ｃ１では、対象装置ＰＤが映像表示装置１００−１である。また、前提Ｃ１では、マスター装置の位置が左上端部ＬＴであるとする。
【０１６４】
上記の前提Ｃ１では、行列ＭＸの１列目は、図９の構成に対応する行列ＭＸの左端の列である。すなわち、行列ＭＸの１列目は、映像表示装置１００−１，１００−２等に対応する列である。また、対象装置ＰＤの対応列は、行列ＭＸの１列目である。また、前提Ｃ１に対応する行列ＭＸの奇数列は、例えば、映像表示装置１００−１，１００−７等に対応する列である。また、前提Ｃ１に対応する行列ＭＸの偶数列は、例えば、映像表示装置１００−６，１００−１２等に対応する列である。したがって、前提Ｃ１では、対象装置ＰＤの対応列は、奇数列である。
【０１６５】
また、以下の前提Ｃ２を考慮する。前提Ｃ２では、１２台の映像表示装置１００が、図７のように行列ＭＸとしての３行４列の行列状に配置されている。また、前提Ｃ２では、対象装置ＰＤが映像表示装置１００−１である。また、前提Ｃ２では、マスター装置の位置が右上端部ＲＴである。
【０１６６】
上記の前提Ｃ２では、行列ＭＸの１列目は、図７の構成に対応する行列ＭＸの右端の列である。また、対象装置ＰＤの対応列は、行列ＭＸの１列目である。また、前提Ｃ２に対応する行列ＭＸの奇数列は、例えば、マスター装置に対応する列、左上端部ＬＴに配置された映像表示装置１００とＸ方向に隣接する映像表示装置１００に対応する列等である。また、前提Ｃ２に対応する行列ＭＸの偶数列は、例えば、マスター装置と−Ｘ方向に隣接する映像表示装置１００に対応する列、左上端部ＬＴに配置された映像表示装置１００に対応する列等である。したがって、前提Ｃ２では、対象装置ＰＤの対応列は、奇数列である。
【０１６７】
ステップＳ２２２Ｂにおいて、対応列が奇数列および偶数列のいずれであるかは、例えば、以下の方法により算出される。具体的には、算出部２１（制御部２０）が、カウンタＣＴの最新の値と、記憶部３２に記憶されている垂直数Ｖｍとを用いて、対応列が奇数列および偶数列のいずれであるかを判定する。
【０１６８】
まず、ＣＴ／Ｖｍで得られる値の整数部を、「判定値Ｔ」と定義する。当該Ｖｍは、垂直数Ｖｍである。ここで、一例として、ＣＴが０であり、Ｖｍが３であるとする。この場合、判定値Ｔは０である。また、他の例として、ＣＴが５であり、Ｖｍが３であるとする。この場合、判定値Ｔは、５／３＝１．６７より、１である。すなわち、判定値Ｔは、１．６７の整数部１である。
【０１６９】
また、判定値Ｔ／２で表現される式の剰余を、「列判定値Ｔａ」と定義する。ここで、一例として、判定値Ｔが０であるとする。この場合、列判定値Ｔａは、０／２より、０である。すなわち、列判定値Ｔａは、０／２という割り算の余りに相当する０である。また、他の例として、判定値Ｔが１であるとする。この場合、列判定値Ｔａは、１／２より、１である。すなわち、列判定値Ｔａは、１／２という割り算の余りに相当する１である。また、他の例として、判定値Ｔが２であるとする。この場合、列判定値Ｔａは、２／２より、０である。すなわち、列判定値Ｔａは、２／２という割り算の余りに相当する０である。
【０１７０】
列判定値Ｔａが０である場合、算出部２１は、対象装置ＰＤの対応列が奇数列であると判定する。この場合、処理はステップＳ２２３Ｃへ移行する。列判定値Ｔａが１である場合、算出部２１は、対象装置ＰＤの対応列が偶数列であると判定する。この場合、処理はステップＳ２２３Ｄへ移行する。
【０１７１】
ステップＳ２２３Ｃでは、ステップＳ２２５Ａと同じ処理が行われるので詳細な説明は行わない。垂直隣接方向が＋Ｖ方向である場合、処理はステップＳ２２４Ｅへ移行する。一方、垂直隣接方向が−Ｖ方向である場合、処理はステップＳ２２４Ｆへ移行する。
【０１７２】
以下においては、ＣＴ／Ｖｍで表現される式の剰余を、「ＭＣ」と定義する。ここで、一例として、ＣＴが０であり、Ｖｍが３であるとする。この場合、ＭＣは、０／３より、０である。すなわち、ＭＣは、０／３という割り算の余りに相当する０である。また、他の例として、ＣＴが５であり、Ｈｍが４であるとする。この場合、ＭＣは、５／４より、１である。すなわち、ＭＣは、５／４という割り算の余りに相当する１である。
【０１７３】
ステップＳ２２４Ｅでは、算出部２１が、座標ＶＬを算出するための算出処理Ｖ３を行う。算出処理Ｖ３では、算出部２１が、座標ＶＬを、以下の式（５）により算出する。
【０１７４】
【数５】
2016045452.tif 000007
【０１７５】
ステップＳ２２４Ｆでは、算出部２１が、座標ＶＬを算出するための算出処理Ｖ４を行う。算出処理Ｖ４では、算出部２１が、座標ＶＬを、以下の式（６）により算出する。
【０１７６】
【数６】
2016045452.tif 000008
【０１７７】
なお、前述のステップＳ２２２Ｂにおいて、対応列が偶数列である場合、処理はステップＳ２２３Ｄへ移行する。
【０１７８】
ステップＳ２２３Ｄでは、ステップＳ２２５Ａと同じ処理が行われるので詳細な説明は行わない。垂直隣接方向が＋Ｖ方向である場合、処理はステップＳ２２４Ｇへ移行する。一方、垂直隣接方向が−Ｖ方向である場合、処理はステップＳ２２４Ｈへ移行する。
【０１７９】
ステップＳ２２４Ｇでは、算出部２１が、座標ＶＬを算出するための算出処理Ｖ５を行う。算出処理Ｖ５では、算出部２１が、座標ＶＬを、前述の式（６）により算出する。
【０１８０】
ステップＳ２２４Ｈでは、算出部２１が、座標ＶＬを算出するための算出処理Ｖ６を行う。算出処理Ｖ６では、算出部２１が、座標ＶＬを、前述の式（５）により算出する。
【０１８１】
ステップＳ２２５Ｂでは、前述のステップＳ２２３Ａと同じ処理が行われるので詳細な説明は行わない。水平隣接方向が＋Ｈ方向である場合、処理はステップＳ２２６Ｃへ移行する。一方、水平隣接方向が−Ｈ方向である場合、処理はステップＳ２２６Ｄへ移行する。
【０１８２】
以下においては、前述の判定値Ｔを、「ＭＤ」ともいう。当該判定値Ｔは、ＣＴ／Ｖｍで得られる値の整数部である。
【０１８３】
ステップＳ２２６Ｃでは、算出部２１が、座標ＨＬを算出するための算出処理Ｈ５を行う。算出処理Ｈ５では、算出部２１が、座標ＨＬを、以下の式（７）により算出する。
【０１８４】
【数７】
2016045452.tif 000009
【０１８５】
ステップＳ２２６Ｄでは、算出部２１が、座標ＨＬを算出するための算出処理Ｈ６を行う。算出処理Ｈ６では、算出部２１が、座標ＨＬを、以下の式（８）により算出する。
【０１８６】
【数８】
2016045452.tif 000010
【０１８７】
以上により、ケーブル接続構成が垂直接続構成である場合における、対象装置ＰＤの座標Ｐ（ＨＬ，ＶＬ）が算出される。
【０１８８】
ここで、以下の前提Ｄ１におけるマスター装置の座標Ｐ（ＨＬ，ＶＬ）の算出手順について説明する。前提Ｄ１では、ＣＴは０である。前提Ｄ１では、１２台の映像表示装置１００が、図９のように行列ＭＸとしての３行４列の行列状に配置されている。また、前提Ｄ１では、マスター装置の位置が左上端部ＬＴである。したがって、図１３（ａ）のように、水平隣接方向は＋Ｈ方向であり、垂直隣接方向は＋Ｖ方向である。また、前提Ｄ１では、水平数Ｈｍは４であり、垂直数Ｖｍは３である。また、前提Ｄ１では、ケーブル接続構成が垂直接続構成である。
【０１８９】
上記の前提Ｄ１の場合、ステップＳ２２１の処理の後、ステップＳ２２２Ｂの処理が行われる。上記の前提Ｄ１により、ＣＴ／Ｖｍで得られる値の整数部である判定値Ｔは、０である。したがって、判定値Ｔ／２で表現される式の剰余である列判定値Ｔａは、０である。列判定値Ｔａが０であるため、ステップＳ２２２Ｂでは、算出部２１は、マスター装置の対応列が奇数列であると判定する。
【０１９０】
そして、前提Ｄ１において垂直隣接方向は＋Ｖ方向であるため、ステップＳ２２３Ｃの処理の後、ステップＳ２２４Ｅの処理が行われる。なお、ＣＴ／Ｖｍで表現される式の剰余ＭＣは０である。そのため、算出処理Ｖ３の式（５）に前提Ｄ１における値（ＭＣ＝０）を代入した式、すなわち、０＋１＝１より、座標ＶＬは１と算出される。
【０１９１】
また、前提Ｄ１において水平隣接方向は＋Ｈ方向であるため、ステップＳ２２６Ｃの処理が行われる。なお、ＣＴ／Ｖｍで得られる値の整数部であるＭＤは、０である。そのため、算出処理Ｈ５の式（７）に前提Ｄ１における値（ＭＤ＝０）を代入した式、すなわち、０＋１＝１より、座標ＨＬは１と算出される。以上により、マスター装置の座標は、座標Ｐ（１，１）と算出される。
【０１９２】
次に、他の例として、前提Ｄ２におけるマスター装置の座標Ｐ（ＨＬ，ＶＬ）の算出手順について説明する。前提Ｄ２は、前提Ｄ１と比較して、マスター装置の位置が左上端部ＬＴであることの代わりに、マスター装置の位置が右上端部ＲＴである点のみが異なるとする。なお、前提Ｄ２のそれ以外の点は、前提Ｄ１と同じである。前提Ｄ２では、水平隣接方向は−Ｈ方向である。
【０１９３】
この前提Ｄ２の場合、ステップＳ２２１，Ｓ２２２Ｂ，Ｓ２２３Ｃ，Ｓ２２４Ｅ，Ｓ２２５Ｂ，Ｓ２２６Ｄの順で、前述の前提Ｄ１の場合と同様に処理が行われる。なお、ＣＴ／Ｖｍで得られる値の整数部ＭＤは０である。そのため、算出処理Ｈ６の式（８）に前提Ｄ２における各値（Ｈｍ＝４，ＭＤ＝０）を代入した式、すなわち、４−０＝４より、座標ＨＬは４と算出される。以上により、マスター装置の座標は、座標Ｐ（４，１）と算出される。
【０１９４】
次に、他の例として、前提Ｄ３におけるマスター装置の座標Ｐ（ＨＬ，ＶＬ）の算出手順について説明する。前提Ｄ３は、前提Ｄ１と比較して、マスター装置の位置が左上端部ＬＴであることの代わりに、マスター装置の位置が左下端部ＬＢである点のみが異なるとする。なお、前提Ｄ３のそれ以外の点は、前提Ｄ１と同じである。前提Ｄ３では、垂直隣接方向は−Ｖ方向である。
【０１９５】
この前提Ｄ３の場合、ステップＳ２２１，Ｓ２２２Ｂ，Ｓ２２３Ｃ，Ｓ２２４Ｆの順で、前述の前提Ｄ１の場合と同様に処理が行われる。なお、ＣＴ／Ｖｍで表現される式の剰余ＭＣは０である。そのため、算出処理Ｖ４の式（６）に前提Ｄ３における各値（Ｖｍ＝３，ＭＣ＝０）を代入した式、すなわち、３−０＝３より、座標ＶＬは３と算出される。
【０１９６】
その後、上記前提Ｄ１の処理と同様に、ステップＳ２２５Ｂ，Ｓ２２６Ｃが行われることにより、座標ＨＬは１と算出される。以上により、マスター装置の座標は、座標Ｐ（１，３）と算出される。
【０１９７】
以上のように、座標算出処理では、算出部２１が、式（１）〜式（８）のうちの２つの式を利用して、マスター装置が配置される位置に基づいて、座標Ｐを算出する。座標算出処理が終了すると、処理は、図１１の識別情報設定対応処理ＢＭに戻り、ステップＳ２３０の処理が行われる。
【０１９８】
ステップＳ２３０では、識別情報算出処理ＢＭが行われる。識別情報算出処理ＢＭでは、要約すれば、算出部２１が、識別情報である識別番号ｉを、識別用設定規則に基づいて算出する。
【０１９９】
図１４は、識別情報算出処理ＢＭのフローチャートである。以下においては、識別情報算出処理ＢＭにおいて、識別情報である識別番号ｉの算出の対象となる映像表示装置１００を、「対象装置ＢＤ」ともいう。識別情報算出処理ＢＭでは、まず、ステップＳ２３１の処理が行われる。
【０２００】
ステップＳ２３１では、識別用設定規則の種類が判定される。具体的には、算出部２１が、識別用設定規則が、水平設定規則および垂直設定規則のいずれであるか判定する。さらに具体的には、算出部２１（制御部２０）は、記憶部３２に記憶されている識別用設定規則情報Ｒが、水平設定規則および垂直設定規則のいずれを特定する情報であるか判定する。
【０２０１】
識別用設定規則が水平設定規則である場合、すなわち、識別用設定規則情報Ｒが水平設定規則を特定する情報である場合、処理はステップＳ２３２Ａへ移行する。一方、識別用設定規則が垂直設定規則である場合、すなわち、識別用設定規則情報Ｒが垂直設定規則を特定する情報である場合、処理はステップＳ２３２Ｂへ移行する。
【０２０２】
ステップＳ２３２Ａでは、識別番号ｉを算出するための算出処理Ｂ１が行われる。算出処理Ｂ１では、算出部２１が、算出された座標Ｐ（ＨＬ，ＶＬ）と、水平数Ｈｍおよび垂直数Ｖｍとを用いて、識別番号ｉを、以下の式（９）により算出する。
【０２０３】
【数９】
2016045452.tif 000011
【０２０４】
ステップＳ２３２Ｂでは、識別番号ｉを算出するための算出処理Ｂ２が行われる。算出処理Ｂ２では、算出部２１が、算出された座標Ｐ（ＨＬ，ＶＬ）を用いて、識別番号ｉを、以下の式（１０）により算出する。
【０２０５】
【数１０】
2016045452.tif 000012
【０２０６】
以上により、識別番号ｉが算出される。
【０２０７】
ここで、以下の前提Ｅ１におけるマスター装置の識別番号ｉの算出手順について説明する。前提Ｅ１では、１２台の映像表示装置１００が、図２のように行列ＭＸとしての３行４列の行列状に配置されている。前提Ｅ１では、水平数Ｈｍは４であり、垂直数Ｖｍは３である。前提Ｅ１では、マスター装置の位置が左上端部ＬＴである。前提Ｅ１では、マスター装置の座標は、（１，１）である。前提Ｅ１では、識別用設定規則が水平設定規則である。
【０２０８】
上記の前提Ｅ１の場合、ステップＳ２３１，Ｓ２３２Ａの順で処理が行われる。ステップＳ２３２Ａの算出処理Ｂ１では、算出部２１が、式（９）に前提Ｅ１における各値（ＨＬ＝１，ＶＬ＝１，Ｈｍ＝４）を代入した式、すなわち、１＋（１−１）×４＝１により、識別番号ｉを、１として算出する。
【０２０９】
次に、他の例として、前提Ｅ２におけるマスター装置の識別番号ｉの算出手順について説明する。前提Ｅ２は、前提Ｅ１と比較して、識別用設定規則が垂直設定規則である点のみが異なるとする。なお、前提Ｅ２のそれ以外の点は、前提Ｅ１と同じである。
【０２１０】
この前提Ｅ２の場合、ステップＳ２３１，Ｓ２３２Ｂの順で処理が行われる。ステップＳ２３２Ｂの算出処理Ｂ２では、算出部２１が、式（１０）に前提Ｅ２における各値（ＨＬ＝１，Ｖｍ＝３，ＶＬ＝１）を代入した式、すなわち、（１−１）×３＋１＝１により、識別番号ｉを、１として算出する。
【０２１１】
以上のように、識別情報算出処理ＢＭでは、算出部２１が、式（９）および式（１０）のいずれかを利用して、識別用設定規則に基づいて、識別情報である識別番号ｉを算出する。識別情報算出処理ＢＭが終了すると、処理は、図１１の識別情報設定対応処理ＢＭに戻り、ステップＳ２４１の処理が行われる。
【０２１２】
ステップＳ２４１では、識別情報設定処理ＢＭが行われる。識別情報設定処理ＢＭでは、制御部２０の設定部２２が、座標Ｐが算出された映像表示装置（マスター装置）の識別番号ｉを当該映像表示装置（マスター装置）に設定するための処理を行う。具体的には、設定部２２は、識別情報算出処理ＢＭで算出された識別番号ｉを、記憶部３２に記憶させる。これにより、マスター装置に識別番号ｉが設定される。
【０２１３】
ステップＳ２４２では、座標設定処理ＰＭが行われる。座標設定処理ＰＭでは、設定部２２が、座標Ｐが算出された映像表示装置（マスター装置）の座標Ｐを当該映像表示装置（マスター装置）に設定するための処理を行う。具体的には、設定部２２は、座標算出処理で算出された、マスター装置の座標Ｐを、記憶部３２に記憶させる。これにより、マスター装置に座標Ｐが設定される。
【０２１４】
ステップＳ２４３では、算出部２１（制御部２０）が、カウンタＣＴの値を１インクリメントする。これにより、カウンタＣＴの値は、１になる。
【０２１５】
ステップＳ２４４では、制御部２０が、識別用設定実行指示Ｂを、全てのスレーブ装置に対して送信する。識別用設定実行指示Ｂとは、スレーブ装置に、識別情報である識別番号ｉを設定させるための指示である。言い換えれば、識別用設定実行指示Ｂは、スレーブ装置に、識別番号ｉを設定するための処理（以下、「識別情報設定対応処理ＢＳ」ともいう）を実行させるための指示である。また、識別用設定実行指示Ｂは、スレーブ装置の動作モードを、識別用設定モードに移行させるための指示でもある。
【０２１６】
具体的には、マスター装置の制御部２０が、送信先が全てのスレーブ装置に設定された識別用設定実行指示Ｂを、伝達順序が２番目であるスレーブ装置（映像表示装置１００−２）へ送信する。識別用設定実行指示Ｂには、識別番号ｉが示される。なお、当該識別番号ｉの値は、一例として、９９９９が設定される。これにより、前述の伝達順序に従って、識別用設定実行指示Ｂが、通信経路ＳＫを介して、全てのスレーブ装置へ送信される。
【０２１７】
その結果、各スレーブ装置では、制御部２０が、識別用設定実行指示Ｂを受信する。具体的には、通信処理部３３が、前隣接の映像表示装置１００（マスター装置またはスレーブ装置）から、入力端子３５ａを介して、識別用設定実行指示Ｂを受信する。通信処理部３３は、受信した識別用設定実行指示Ｂを、制御部２０および出力端子３５ｂへ送信する。これにより、制御部２０は、識別用設定実行指示Ｂを受信する。
【０２１８】
なお、識別用設定実行指示Ｂが示す識別番号ｉの値は、９９９９に限定されず、識別番号ｉに実際に設定可能な最大値（例えば、１００）より大きな数であればよい。
【０２１９】
各スレーブ装置の制御部２０は、識別用設定実行指示Ｂの受信に従い、識別情報設定対応処理ＢＳを実行する。図１５は、識別情報設定対応処理ＢＳのフローチャートである。識別情報設定対応処理ＢＳでは、まず、ステップＳ３１１の処理が行われる。
【０２２０】
ステップＳ３１１では、識別番号ｉが９９９９に設定される。具体的には、制御部２０が、受信した識別用設定実行指示Ｂが示す識別番号ｉ（９９９９）を、記憶部３２に記憶させる。
【０２２１】
ステップＳ３１２では、設定モード移行処理が行われる。設定モード移行処理では、制御部２０は、識別用設定実行指示Ｂに従い、スレーブ装置の動作モードを、前述の通常モードから識別用設定モードに移行させる。
【０２２２】
ステップＳ３１３では、通信状態切替処理ＳＴが行われる。通信状態切替処理ＳＴでは、御部２０は、通信処理部３３の状態を、上流方向転送停止状態に設定する。前述したように、上流方向転送停止状態の通信処理部３３は、出力端子３５ｂが受信したデータを、制御部２０のみへ送信し、入力端子３５ａへ送信しない。また、上流方向転送停止状態の通信処理部３３は、入力端子３５ａが受信したデータ（信号）を、出力端子３５ｂへ送信（転送）する。
【０２２３】
マスター装置では、ステップＳ２４４の処理の後、ステップＳ２４５が行われる。以下においては、識別番号ｉが９９９９に設定されているスレーブ装置を、「対象スレーブ装置」ともいう。
【０２２４】
ステップＳ２４５では、制御部２０が、個別情報を要求するための個別情報要求指示を、各対象スレーブ装置に対し送信する。個別情報とは、各スレーブ装置を識別するための情報である。個別情報は、例えば、シリアル番号、ＭＡＣアドレス等である。なお、各スレーブ装置には、予め、異なる個別情報が設定されている。
【０２２５】
これにより、前述の伝達順序に従って、個別情報要求指示が、全ての対象スレーブ装置へ送信される。
【０２２６】
対象スレーブ装置が個別情報要求指示を受信すると、当該対象スレーブ装置はステップＳ３２１の処理を行う。
【０２２７】
ステップＳ３２１では、個別情報送信処理が行われる。個別情報送信処理では、制御部２０が、通信処理部３３および入力端子３５ａと前述の通信経路ＳＫとを介して、自装置（スレーブ装置）の個別情報がマスター装置に向かうように、当該個別情報を、通信処理部３３へ送信する。個別情報の送信先は、マスター装置に設定されている。
【０２２８】
しかしながら、前述の通信状態切替処理ＳＴにより、通信処理部３３の状態は、上流方向転送停止状態に設定されている。そのため、上流方向転送停止状態の通信処理部３３は、出力端子３５ｂが受信した個別情報を、入力端子３５ａへ送信しない。したがって、個別情報送信処理が初めて行われる場合、マスター装置は、映像表示装置１００−２のみから、映像表示装置１００−２の個別情報を受信する。
【０２２９】
以下においては、マスター装置が受信した個別情報に対応するスレーブ装置を、「応答スレーブ装置」ともいう。例えば、個別情報送信処理が初めて行われる場合、応答スレーブ装置は、映像表示装置１００−２のみである。
【０２３０】
マスター装置は、個別情報を受信すると、ステップＳ２６０の処理を行う。ステップＳ２６０では、図１２の座標算出処理が行われる。当該座標算出処理により、応答スレーブ装置の座標Ｐが算出される。なお、応答スレーブ装置の座標Ｐの算出の例については、後述する。
【０２３１】
ステップＳ２７０では、図１４の識別情報算出処理ＢＭが行われる。当該識別情報算出処理ＢＭにより、応答スレーブ装置の識別番号ｉが算出される。応答スレーブ装置の識別番号ｉの算出の例については、後述する。
【０２３２】
ステップＳ２８１では、情報設定制御処理ＢＰが行われる。情報設定制御処理ＢＰは、設定部２２が、座標Ｐが算出された映像表示装置（応答スレーブ装置）の識別番号ｉを当該映像表示装置に設定するための処理である。また、情報設定制御処理ＢＰは、設定部２２が、座標Ｐが算出された映像表示装置（応答スレーブ装置）の座標Ｐを当該映像表示装置（応答スレーブ装置）に設定するための処理でもある。
【０２３３】
具体的には、情報設定制御処理ＢＰでは、設定部２２が、情報設定指示を、応答スレーブ装置へ送信する。当該情報設定指示とは、算出された応答スレーブ装置の識別番号ｉおよび座標Ｐを、応答スレーブ装置に設定するための指示である。なお、情報設定指示は、当該応答スレーブ装置の識別番号ｉおよび座標Ｐが示される。また、情報設定指示には、さらに、マスター装置が受信した、応答スレーブ装置の個別情報も示される。
【０２３４】
応答スレーブ装置では、ステップＳ３３１において、制御部２０が、情報設定指示を受信する。
【０２３５】
ステップＳ３３２では、制御部２０が、自装置（応答スレーブ装置）の個別情報と、受信した情報設定指示が示す個別情報が一致するか否かを判定する。ステップＳ３３２においてＹＥＳならば処理はステップＳ３３３へ移行する。一方、ステップＳ３３２においてＮＯならば処理はステップＳ３３４Ｂへ移行する。
【０２３６】
ステップＳ３３３では、情報設定処理ＢＰが行われる。情報設定処理ＢＰでは、設定部２２が、受信した情報設定指示が示す識別番号ｉを、自装置（応答スレーブ装置）に対して設定する。具体的には、設定部２２は、記憶部３２に記憶されている識別番号ｉの値（９９９９）を、情報設定指示が示す識別番号ｉの値に変更する。
【０２３７】
また、設定部２２が、受信した情報設定指示が示す座標Ｐを、自装置（応答スレーブ装置）に対して設定する。具体的には、設定部２２は、情報設定指示が示す座標Ｐを、記憶部３２に記憶させる。
【０２３８】
ステップＳ３３４Ａでは、制御部２０（設定部２２）が、完了通知を、マスター装置へ送信する。完了通知とは、識別番号および座標の設定が完了した旨の通知である。
【０２３９】
ステップＳ３３５では、通常モード移行処理が行われる。通常モード移行処理では、制御部２０が、映像表示装置１００の動作モードを、識別用設定モードから通常モードに移行させる。これに伴い、制御部２０は、通信処理部３３の状態を、通常状態に設定する。すなわち、通信処理部３３の上流方向転送停止状態が解除される。
【０２４０】
なお、前述したように、通常状態の通信処理部３３は、出力端子３５ｂが受信したデータを、入力端子３５ａへ送信（転送）する。また、前述したように、通常状態の通信処理部３３は、入力端子３５ａまたは出力端子３５ｂが受信したデータを、制御部２０へ送信する。また、前述したように、通常状態の通信処理部３３は、制御部２０から受信するデータ（信号）を、当該データの宛先に従って、入力端子３５ａまたは出力端子３５ｂへ送信する。
【０２４１】
以上の通常モード移行処理により、映像表示装置１００−２は、出力端子３５ｂが受信したデータを、入力端子３５ａへ送信（転送）するようになる。当該入力端子３５ａへ送信されるデータは、当該スレーブ装置の前隣接の映像表示装置１００（マスター装置）へ送信される。そして、この識別情報設定対応処理ＢＳは終了する。
【０２４２】
なお、ステップＳ３３２でＮＯの場合、処理はステップＳ３３４Ｂへ移行する。ステップＳ３３４Ｂでは、制御部２０（設定部２２）が、エラー通知を、マスター装置へ送信する。
【０２４３】
マスター装置は、上記の処理により、完了通知またはエラー通知を受信すると、ステップＳ２８２の処理を行う。
【０２４４】
ステップＳ２８２では、制御部２０が、受信した通知の種類を判定する。制御部２０が完了通知を受信した場合、処理はステップＳ２９１へ移行する。一方、制御部２０がエラー通知を受信した場合、この識別情報設定対応処理ＢＭは終了する。
【０２４５】
以下においては、マルチ画面表示装置１０００を構成する映像表示装置１００の数を、「構成数Ｃ」または「Ｃ」ともいう。当該Ｃは、自然数である。マルチ画面表示装置１０００が、例えば、図２の構成である場合、構成数Ｃは、１２である。
【０２４６】
ステップＳ２９１では、制御部２０が、カウンタＣＴの値が、Ｃ−１の式により得られる値以上であるか否かを判定する。構成数Ｃは、水平数Ｈｍ×垂直数Ｖｍの式により算出される。
【０２４７】
ステップＳ２９１においてＹＥＳならば、この識別情報設定対応処理ＢＭは終了する。なお、ステップＳ２９１においてＹＥＳの場合、マルチ画面表示装置１０００を構成する全ての映像表示装置１００に対し、座標Ｐおよび識別番号ｉの設定が完了している。一方、ステップＳ２９１においてＮＯならば処理はステップＳ２９２へ移行する。
【０２４８】
ステップＳ２９２では、算出部２１が、カウンタＣＴの値を１インクリメントする。そして、再度、ステップＳ２４５の処理が行われる。
【０２４９】
以上の識別情報設定対応処理ＢＭにより、制御部２０がエラー通知を受信しない状況、および、カウンタＣＴの値がＣ−１未満である状況が続く場合、ステップＳ２４５〜Ｓ２９２の処理が繰り返し行われる。これにより、ステップＳ２８１が繰り返し行われる。ステップＳ２８１が繰り返し行われることにより、設定部２２は、座標Ｐが算出された各映像表示装置（応答スレーブ装置）の識別番号ｉを当該映像表示装置に設定するための処理を行う。また、ステップＳ２８１が繰り返し行われることにより、設定部２２は、座標Ｐが算出された各映像表示装置（応答スレーブ装置）の座標Ｐを当該映像表示装置（応答スレーブ装置）に設定するための処理を行う。
【０２５０】
なお、ステップＳ２４５〜Ｓ２９２の処理が行われる毎に、対象スレーブ装置の数は減少する。例えば、１回目のステップＳ２４５〜Ｓ２９２の処理が終了した時点における対象スレーブ装置は、映像表示装置１００−３，１００−４，１００−５，１００−６，１００−７，１００−８，１００−９，１００−１０，１００−１１，１００−１２である。
【０２５１】
また、ステップＳ２４５〜Ｓ２９２の処理が行われる毎に、以下の処理Ａが行われる。処理Ａでは、ステップＳ２４５により、個別情報要求指示が各対象スレーブ装置に対し送信される。また、処理Ａでは、対象スレーブ装置が個別情報要求指示を受信すると、当該対象スレーブ装置はステップＳ３２１の処理を行う。
【０２５２】
例えば、２回目のステップＳ２４５の処理が行われた場合、マスター装置は、映像表示装置１００−３のみから、映像表示装置１００−３の個別情報を受信する。この場合、応答スレーブ装置は、映像表示装置１００−３のみである。また、この場合、映像表示装置１００−３の座標Ｐおよび識別番号ｉを算出するために使用されるカウンタＣＴの値は、２である。
【０２５３】
すなわち、上記の識別情報設定対応処理ＢＭにより、マスター装置は、カウンタＣＴの値をインクリメントしながら、伝達順序にしたがって、各スレーブ装置に対し、座標Ｐおよび識別番号ｉを設定していく。
【０２５４】
ＣＴ＝Ｃ−１が満たされる場合（Ｓ２９１でＹＥＳ）、マスター装置は、前述の終端映像表示装置まで、識別番号ｉの設定が完了したと判断し、識別情報設定対応処理ＢＭは終了する。
【０２５５】
次に、スレーブ装置の座標Ｐおよび識別番号ｉの算出手順について説明する。以下においては、座標Ｐおよび識別番号ｉの算出対象となるスレーブ装置を、「算出対象スレーブ装置」ともいう。まず、以下の前提Ｆ１における算出対象スレーブ装置の座標Ｐおよび識別番号ｉの算出手順について説明する。
【０２５６】
前提Ｆ１では、１２台の映像表示装置１００が、図２のように行列ＭＸとしての３行４列の行列状に配置されている。また、前提Ｆ１では、算出対象スレーブ装置は、映像表示装置１００−６である。また、前提Ｆ１では、ＣＴは５である。また、前提Ｆ１では、水平数Ｈｍは４であり、垂直数Ｖｍは３である。また、前提Ｆ１では、マスター装置の位置が左上端部ＬＴである。したがって、図１３（ａ）のように、水平隣接方向は＋Ｈ方向であり、垂直隣接方向は＋Ｖ方向である。また、前提Ｆ１では、ケーブル接続構成が水平接続構成である。また、前提Ｆ１では、識別用設定規則が水平設定規則である。
【０２５７】
上記の前提Ｆ１において、まず、座標Ｐの算出手順について説明する。前提Ｆ１では、図１２において、ステップＳ２２１の処理の後、ステップＳ２２２Ａの処理が行われる。
【０２５８】
ステップＳ２２２Ａでは、上記の前提Ｆ１において、ＣＴ／Ｈｍで得られる値の整数部である判定値Ｓは、５／４＝１．２５より、１である。したがって、判定値Ｓ／２で表現される式の剰余である行判定値Ｓａは、１／２より、１である。行判定値Ｓａが１であるため、算出部２１は、算出対象スレーブ装置の対応行が偶数行であると判定する。
【０２５９】
そのため、処理はステップＳ２２３Ｂへ移行する。そして、前提Ｆ１において水平隣接方向は＋Ｈ方向であるため、ステップＳ２２３Ｂの処理の後、ステップＳ２２４Ｃの処理が行われる。なお、ＣＴ／Ｈｍで表現される式の剰余ＭＡは、５／４より、１である。そのため、算出処理Ｈ３の式（２）に前提Ｆ１における各値（Ｈｍ＝４，ＭＡ＝１）を代入した式、すなわち、４−１＝３より、座標ＨＬは３と算出される。
【０２６０】
また、前提Ｆ１において垂直隣接方向は＋Ｖ方向であるため、ステップＳ２２６Ａの処理が行われる。なお、ＣＴ／Ｈｍで得られる値の整数部であるＭＢは、５／４＝１．２５より、１である。そのため、算出処理Ｖ１の式（３）に前提Ｆ１における値（ＭＢ＝１）を代入した式、すなわち、１＋１＝２より、座標ＶＬは２と算出される。以上により、前提Ｆ１において、スレーブ装置である映像表示装置１００−６の座標は、座標Ｐ（３，２）と算出される。
【０２６１】
次に、前提Ｆ１における識別番号ｉの算出手順について説明する。前提Ｆ１では、識別用設定規則が水平設定規則であるため、図１４のステップＳ２３１，Ｓ２３２Ａの順で処理が行われる。ステップＳ２３２Ａの算出処理Ｂ１では、算出部２１が、式（９）に前提Ｆ１における各値（ＨＬ＝３，ＶＬ＝２，Ｈｍ＝４）を代入した式、すなわち、３＋（２−１）×４＝７により、識別番号ｉを、７として算出する。
【０２６２】
次に、他の例として、前提Ｆ２における算出対象スレーブ装置の座標Ｐおよび識別番号ｉの算出手順について説明する。前提Ｆ２は、前提Ｆ１と比較して、マスター装置の位置が左上端部ＬＴであることの代わりに、マスター装置の位置が右上端部ＲＴである点のみが異なるとする。なお、前提Ｆ２のそれ以外の点は、前提Ｆ１と同じである。前提Ｆ２では、水平隣接方向は−Ｈ方向である。
【０２６３】
この前提Ｆ２の場合、図１２において、ステップＳ２２１，Ｓ２２２Ａ，Ｓ２２３Ｂ，Ｓ２２４Ｄの順で、前述の前提Ｆ１の場合と同様に処理が行われる。なお、ＣＴ／Ｈｍで表現される式の剰余ＭＡは１である。そのため、算出処理Ｈ４の式（１）に前提Ｆ２における値（ＭＡ＝１）を代入した式、すなわち、１＋１＝２より、座標ＨＬは２と算出される。
【０２６４】
その後、上記前提Ｆ１の処理と同様に、ステップＳ２２５Ａ，Ｓ２２６Ａが行われることにより、座標ＶＬは２と算出される。以上により、前提Ｆ２において、スレーブ装置である映像表示装置１００−６の座標は、座標Ｐ（２，２）と算出される。
【０２６５】
次に、前提Ｆ２における識別番号ｉの算出手順について説明する。前提Ｆ２では、識別用設定規則が水平設定規則であるため、図１４のステップＳ２３１，Ｓ２３２Ａの順で処理が行われる。ステップＳ２３２Ａの算出処理Ｂ１では、算出部２１が、式（９）に前提Ｆ１における各値（ＨＬ＝２，ＶＬ＝２，Ｈｍ＝４）を代入した式、すなわち、２＋（２−１）×４＝６により、識別番号ｉを、６として算出する。
【０２６６】
次に、他の例として、前提Ｆ３における算出対象スレーブ装置の座標Ｐおよび識別番号ｉの算出手順について説明する。前提Ｆ３は、前提Ｆ１と比較して、算出対象スレーブ装置が映像表示装置１００−９である点のみが異なるとする。なお、前提Ｆ３のそれ以外の点は、前提Ｆ１と同じである。前提Ｆ３では、ＣＴは８である。
【０２６７】
この前提Ｆ３の場合、図１２において、ステップＳ２２１の処理の後、ステップＳ２２２Ａの処理が行われる。
【０２６８】
ステップＳ２２２Ａでは、上記の前提Ｆ３において、ＣＴ／Ｈｍで得られる値の整数部である判定値Ｓは、８／４＝２より、２である。したがって、判定値Ｓ／２で表現される式の剰余である行判定値Ｓａは、２／２より、０である。行判定値Ｓａが０であるため、算出部２１は、算出対象スレーブ装置の対応行が奇数行であると判定する。
【０２６９】
そのため、処理はステップＳ２２３Ａへ移行する。そして、前提Ｆ３において水平隣接方向は＋Ｈ方向であるため、ステップＳ２２３Ａの処理の後、ステップＳ２２４Ａの処理が行われる。なお、ＣＴ／Ｈｍで表現される式の剰余ＭＡは、８／４より、０である。そのため、算出処理Ｈ１の式（１）に前提Ｆ３おける値（ＭＡ＝０）を代入した式、すなわち、０＋１＝１より、座標ＨＬは１と算出される。
【０２７０】
また、前提Ｆ３において垂直隣接方向は＋Ｖ方向であるため、ステップＳ２２６Ａの処理が行われる。なお、ＣＴ／Ｈｍで得られる値の整数部であるＭＢは、８／４＝２より、２である。そのため、算出処理Ｖ１の式（３）に前提Ｆ３おける値（ＭＢ＝２）を代入した式、すなわち、２＋１＝３より、座標ＶＬは３と算出される。以上により、前提Ｆ３において、スレーブ装置である映像表示装置１００−９の座標は、座標Ｐ（１，３）と算出される。
【０２７１】
次に、前提Ｆ３における識別番号ｉの算出手順について説明する。前提Ｆ３では、識別用設定規則が水平設定規則であるため、図１４のステップＳ２３１，Ｓ２３２Ａの順で処理が行われる。ステップＳ２３２Ａの算出処理Ｂ１では、算出部２１が、式（９）に前提Ｆ３における各値（ＨＬ＝１，ＶＬ＝３，Ｈｍ＝４）を代入した式、すなわち、１＋（３−１）×４＝９により、識別番号ｉを、９として算出する。
【０２７２】
次に、他の例として、前提Ｆ４における算出対象スレーブ装置の座標Ｐおよび識別番号ｉの算出手順について説明する。
【０２７３】
前提Ｆ４では、１２台の映像表示装置１００が、図９のように行列ＭＸとしての３行４列の行列状に配置されている。また、前提Ｆ４では、算出対象スレーブ装置は、映像表示装置１００−１０である。また、前提Ｆ４では、ＣＴは９である。また、前提Ｆ４では、水平数Ｈｍは４であり、垂直数Ｖｍは３である。また、前提Ｆ４では、マスター装置の位置が左上端部ＬＴである。したがって、図１３（ａ）のように、水平隣接方向は＋Ｈ方向であり、垂直隣接方向は＋Ｖ方向である。また、前提Ｆ４では、ケーブル接続構成が垂直接続構成である。また、前提Ｆ４では、識別用設定規則が水平設定規則である。
【０２７４】
この前提Ｆ４の場合、図１２において、ステップＳ２２１の処理の後、ステップＳ２２２Ｂの処理が行われる。
【０２７５】
ステップＳ２２２Ｂでは、上記の前提Ｆ４において、ＣＴ／Ｖｍで得られる値の整数部である判定値Ｔは、９／３＝３より、３である。したがって、判定値Ｔ／２で表現される式の剰余である列判定値Ｔａは、３／２より、１である。列判定値Ｔａが１であるため、算出部２１は、算出対象スレーブ装置の対応列が偶数列であると判定する。
【０２７６】
そのため、処理はステップＳ２２３Ｄへ移行する。そして、前提Ｆ４において垂直隣接方向は＋Ｖ方向であるため、ステップＳ２２３Ｄの処理の後、ステップＳ２２４Ｇの処理が行われる。なお、ＣＴ／Ｖｍで表現される式の剰余ＭＣは、９／３より、０である。そのため、算出処理Ｖ５の式（６）に前提Ｆ４における各値（Ｖｍ＝３，ＭＣ＝０）を代入した式、すなわち、３−０＝３より、座標ＶＬは３と算出される。
【０２７７】
また、前提Ｆ４において水平隣接方向は＋Ｈ方向であるため、ステップＳ２２６Ｃの処理が行われる。なお、ＣＴ／Ｖｍで得られる値の整数部であるＭＤは、９／３＝３より、３である。そのため、算出処理Ｈ５の式（７）に前提Ｆ４における値（ＭＤ＝３）を代入した式、すなわち、３＋１＝４より、座標ＨＬは４と算出される。以上により、前提Ｆ４において、スレーブ装置である映像表示装置１００−１０の座標は、座標Ｐ（４，３）と算出される。
【０２７８】
次に、前提Ｆ４における識別番号ｉの算出手順について説明する。前提Ｆ４では、識別用設定規則が水平設定規則であるため、図１４のステップＳ２３１，Ｓ２３２Ａの順で処理が行われる。ステップＳ２３２Ａの算出処理Ｂ１では、算出部２１が、式（９）に前提Ｆ４における各値（ＨＬ＝４，ＶＬ＝３，Ｈｍ＝４）を代入した式、すなわち、４＋（３−１）×４＝１２により、識別番号ｉを、１２として算出する。
【０２７９】
次に、他の例として、前提Ｆ５における算出対象スレーブ装置の座標Ｐおよび識別番号ｉの算出手順について説明する。前提Ｆ５は、前提Ｆ４と比較して、算出対象スレーブ装置が映像表示装置１００−７である点のみが異なるとする。なお、前提Ｆ５のそれ以外の点は、前提Ｆ４と同じである。前提Ｆ５では、ＣＴは６である。
【０２８０】
この前提Ｆ５の場合、図１２において、ステップＳ２２１の処理の後、ステップＳ２２２Ｂの処理が行われる。
【０２８１】
ステップＳ２２２Ｂでは、上記の前提Ｆ５において、ＣＴ／Ｖｍで得られる値の整数部である判定値Ｔは、６／３＝２より、２である。したがって、判定値Ｔ／２で表現される式の剰余である列判定値Ｔａは、２／２より、０である。列判定値Ｔａが０であるため、算出部２１は、算出対象スレーブ装置の対応列が奇数列であると判定する。
【０２８２】
そのため、処理はステップＳ２２３Ｃへ移行する。そして、前提Ｆ５において垂直隣接方向は＋Ｖ方向であるため、ステップＳ２２３Ｃの処理の後、ステップＳ２２４Ｅの処理が行われる。なお、ＣＴ／Ｖｍで表現される式の剰余ＭＣは、６／３より、０である。そのため、算出処理Ｖ３の式（５）に前提Ｆ５における値（ＭＣ＝０）を代入した式、すなわち、０＋１＝１より、座標ＶＬは１と算出される。
【０２８３】
また、前提Ｆ５において水平隣接方向は＋Ｈ方向であるため、ステップＳ２２６Ｃの処理が行われる。なお、ＣＴ／Ｖｍで得られる値の整数部であるＭＤは、６／３＝２より、２である。そのため、算出処理Ｈ５の式（７）に前提Ｆ５における値（ＭＤ＝２）を代入した式、すなわち、２＋１＝３より、座標ＨＬは３と算出される。以上により、前提Ｆ５において、スレーブ装置である映像表示装置１００−７の座標は、座標Ｐ（３，１）と算出される。
【０２８４】
次に、前提Ｆ５における識別番号ｉの算出手順について説明する。前提Ｆ５では、識別用設定規則が水平設定規則であるため、図１４のステップＳ２３１，Ｓ２３２Ａの順で処理が行われる。ステップＳ２３２Ａの算出処理Ｂ１では、算出部２１が、式（９）に前提Ｆ４における各値（ＨＬ＝３，ＶＬ＝１，Ｈｍ＝４）を代入した式、すなわち、３＋（１−１）×４＝３により、識別番号ｉを、３として算出する。
【０２８５】
なお、前述したように、前提Ｄ１におけるマスター装置の座標Ｐは、（１，１）と算出される。前提Ｄ１では、マスター装置の位置が左上端部ＬＴである。また、前提Ｄ１では、ケーブル接続構成が垂直接続構成である。また、前述したように、前提Ｅ１におけるマスター装置の識別番号ｉは、１として算出される。
【０２８６】
また、前提Ｆ４における算出対象スレーブ装置を、映像表示装置１００−２，１００−３，１００−４，１００−５，１００−６，１００−８，１００−９，１００−１１，１００−１２のいずれかとして、座標Ｐおよび識別番号ｉが算出されたとする。そして、これにより算出された各映像表示装置１００の座標Ｐおよび識別番号ｉと、上記の前提Ｆ４，前提Ｆ５により得られた、映像表示装置１００−７，１００−１０の座標Ｐおよび識別番号ｉ、映像表示装置１００−１の座標Ｐおよび識別番号ｉが、図１１および図１５の処理により、対応する各映像表示装置１００に設定されたとする。
【０２８７】
この場合、各映像表示装置１００の識別番号ｉおよび座標Ｐは、図１６に示されるようになる。図１６では、各映像表示装置１００の画面１０に、当該映像表示装置１００に設定された識別番号ｉおよび座標Ｐを表示した状態を示す。
【０２８８】
以上説明したように、本実施の形態によれば、伝達順序が１番目であるマスター装置（基準映像表示装置）の算出部２１は、配置情報ＫＪと当該伝達順序とに基づいて、マルチ画面１０Ａにおける、複数の映像表示装置１００の座標Ｐを算出する。また、算出部２１は、識別番号ｉを、識別用設定規則Ｂに基づいて算出する。設定部２２は、座標Ｐが算出された各映像表示装置１００の識別番号ｉを当該映像表示装置１００に設定するための処理を行う。
【０２８９】
これにより、例えば、映像表示装置１００の座標Ｐを算出するために、従来のような撮像装置等を別途設ける必要はない。そのため、単純な構成で映像表示装置１００の座標Ｐを算出することができる。したがって、映像表示装置１００の座標Ｐおよび識別番号ｉを容易に算出することができる。また、前述のように、設定部２２は、座標Ｐが算出された各映像表示装置１００の識別番号ｉを当該映像表示装置１００に設定するための処理を行う。これにより、単純な構成で映像表示装置１００に識別番号ｉを設定することができる。
【０２９０】
また、本実施の形態によれば、従来のような撮像装置等の特殊な装置を使用することなく、各映像表示装置１００の座標Ｐおよび識別番号ｉを容易に算出することができる。また、算出された座標Ｐおよび識別番号ｉを容易に設定することができる。
【０２９１】
また、本実施の形態によれば、マスター装置は、マルチ画面１０Ａの４つの角部のいずれかに配置される。マスター装置の算出部２１は、マスター装置が配置される位置に基づいて、座標Ｐを算出する。少し具体的には、マスター装置は、ケーブル接続構成と、伝達順序と、水平数Ｈｍおよび垂直数Ｖｍとに基づいて、座標Ｐを容易に算出することができる。すなわち、マスター装置が、マルチ画面１０Ａの４つの角部のいずれかに配置されても、座標Ｐを容易に算出することができる。
【０２９２】
また、本実施の形態によれば、各映像表示装置に対し、水平ラスタースキャンまたは垂直ラスタースキャンに従った順序で、識別番号ｉを設定することができる。すなわち、行列状に配置され、かつ、デイジーチェーン接続された各映像表示装置１００は、デイジーチェーン接続に従った伝達順序ではなく、作業者（人）が識別番号ｉを認識しやすいように定められた識別用設定規則に基づいて、当該映像表示装置１００に対し識別番号ｉを容易に設定することができる。
【０２９３】
また、本実施の形態によれば、マスター装置の算出部２１が算出した座標Ｐおよび識別番号ｉを、各スレーブ装置に対して設定する。そのため、作業者が、各映像表示装置に対して、座標Ｐおよび識別番号ｉを手動で設定する必要がない。
【０２９４】
また、本実施の形態によれば、マスター装置は、座標Ｐおよび識別番号ｉを自動で算出するとともに、算出した座標Ｐおよび識別番号ｉを、デイジーチェーン接続された各映像表示装置１００に対し自動で設定することができる。
【０２９５】
なお、従来では、マルチ画面表示装置が初めて設置される場合、当該マルチ画面表示装置を構成する全ての映像表示装置の座標および識別番号は、工場出荷時の状態、すなわち、同一である。この場合、映像表示装置の識別番号も同一であるため、外部のＰＣ等から座標等を設定することもできない。そのため、作業者が、各映像表示装置毎に、座標および識別番号を設定する必要があった。
【０２９６】
一方、本実施の形態によれば、作業者が、外部制御装置５を用いて、マスター装置のみに対して初期設定を行うことにより、マルチ画面表示装置１０００を構成する各映像表示装置１００に対し座標および識別番号ｉが自動的に設定される。そのため、マルチ画面表示装置１０００の設置時の調整時間を大幅に短縮することができる。
【０２９７】
なお、従来では、デイジーチェーン接続に基づいた前述の伝達順序で、各映像表示装置に識別番号が設定される。そのため、水平ラスタースキャンまたは垂直ラスタースキャンに従った順序で、識別番号は並ばない。
【０２９８】
一方、本実施の形態によれば、水平ラスタースキャンまたは垂直ラスタースキャンに従った順序で、各映像表示装置１００に識別番号ｉが自動的に設定される。そのため、マルチ画面表示装置１０００が制御される際において、識別番号ｉと映像表示装置１００の座標Ｐとの対応関係をわかりやすくすることができる。その結果、マルチ画面表示装置１０００の調整および運用において制御ミス等を防止することもできる。
【０２９９】
また、本実施の形態によれば、マスター装置は、マルチ画面１０Ａの４つの角部のいずれかに配置されても、一意に、映像表示装置１００の座標Ｐおよび識別番号ｉを設定することができる。そのため、マルチ画面表示装置１０００において、必ずしも、左上端部の映像表示装置１００を、マスター装置として設定する必要がない。すなわち、外部制御装置５に一番近い映像表示装置１００をマスター装置に設定することが可能である。
【０３００】
なお、従来では、各映像表示装置が、シリアルケーブルで、デイジーチェーン接続された構成において、識別番号を設定する場合、デイジーチェーン接続に基づく伝達順序に従って、識別番号が設定される。また、関連技術Ｂでは、映像表示装置が行列状に配置されて構成されるマルチ画面表示装置において、当該映像表示装置の位置を検出するためには、カメラなどの撮像装置を使用する必要があり、コストが高くなるという問題点がある。
【０３０１】
そこで、本実施の形態は上記のように構成されるため、上記の各問題点を解決することができる。
【０３０２】
（その他の変形例）
以上、本発明に係るマルチ画面表示装置（映像表示装置）について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０３０３】
例えば、映像表示装置１００は、図４に示される全ての構成要素を含まなくてもよい。すなわち、映像表示装置１００は、本発明の効果を実現できる最小限の構成要素のみを含めばよい。例えば、制御部２０が、通信処理部３３が行う処理も行うようにすれば、映像表示装置１００は、通信処理部３３を備えなくてもよい。
【０３０４】
また、本発明は、映像表示装置１００が備える特徴的な構成部の動作をステップとする識別番号設定方法として実現してもよい。また、本発明は、当該識別番号設定方法に含まれる各ステップをコンピュータが実行してもよい。また、本発明は、そのような識別番号設定方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０３０５】
また、本発明に係る識別番号設定方法は、図１１の識別情報設定対応処理ＢＭに相当する。識別番号設定方法における各処理の実行される順序は、本発明を具体的に説明するための一例であり、上記以外の順序であってもよい。また、識別番号設定方法における処理の一部と、他の処理とは、互いに独立して並列に実行されてもよい。
【０３０６】
上記実施の形態で用いた全ての数値は、本発明を具体的に説明するための一例の数値である。すなわち、本発明は、上記実施の形態で用いた各数値に制限されない。
【０３０７】
なお、本発明は、その発明の範囲内において、実施の形態を適宜、変形、省略することが可能である。
【０３０８】
例えば、実施の形態１では、各映像表示装置１００に対し、識別番号ｉおよび座標Ｐの両方を設定する構成としていたがこれに限定されない。例えば、各映像表示装置１００に対し、識別番号ｉのみを設定する構成としてもよい。
【符号の説明】
【０３０９】
５  外部制御装置、１０，１０−１，１０−２，１０−３，１０−４，１０−５，１０−６，１０−７，１０−８，１０−９，１０−１０，１０−１１，１０−１２  画面、１０Ａ  マルチ画面、２０  制御部、２１  算出部、２２  設定部、３２  記憶部、３３  通信処理部、３４  外部制御端子、３５ａ  入力端子、３５ｂ  出力端子、３７  映像入力回路、３８  表示処理部、４０  表示部、７０  制御ケーブル、７１  通信ケーブル、１００，１００−１，１００−２，１００−３，１００−４，１００−５，１００−６，１００−７，１００−８，１００−９，１００−１０，１００−１１，１００−１２  映像表示装置、１０００  マルチ画面表示装置。
【図１】
2016045452.tif 000013
【図２】
2016045452.tif 000014
【図３】
2016045452.tif 000015
【図４】
2016045452.tif 000016
【図５】
2016045452.tif 000017
【図６】
2016045452.tif 000018
【図７】
2016045452.tif 000019
【図８】
2016045452.tif 000020
【図９】
2016045452.tif 000021
【図１０】
2016045452.tif 000022
【図１１】
2016045452.tif 000023
【図１２】
2016045452.tif 000024
【図１３】
2016045452.tif 000025
【図１４】
2016045452.tif 000026
【図１５】
2016045452.tif 000027
【図１６】
2016045452.tif 000028